(57)【要約】  新しい無線電気通信システムにおいて、ユーザ機器（ＵＥ）のハンドオーバにおけるデュアルコネクティビティを提供するようにネットワークノードを動作させるための方法、システムおよびネットワークデバイスが提供される。方法は、ネットワークノードから、およびターゲット２次ノードに、ハンドオーバにおけるＵＥのためのリソースを割り当てるために追加要求メッセージを送ることを含む。動作は、ターゲット２次ノードから追加要求確認応答メッセージを受信することを含む。追加要求確認応答メッセージは、フル無線リソース制御（ＲＲＣ）コンテキストまたはデルタＲＲＣコンテキストに関するコンテキスト指示を含む。デルタＲＲＣコンテキストは、現在のＵＥコンテキストにおけるデータに対して更新されたデータを含む。動作は、コンテキスト指示に基づいて、ターゲット２次ノードに提供すべきＲＲＣコンテキストのタイプを決定することを含む。【選択図】図２
2021503750.tif 000002
【特許請求の範囲】
【請求項１】
新しい無線電気通信システムにおいて、ユーザ機器（ＵＥ）（１６０２）のハンドオーバにおけるデュアルコネクティビティを提供するようにネットワークノード（１６０４）を動作させる方法であって、前記方法は、
前記ネットワークノード（１６０４）から、およびターゲット２次ノード（１６０８）に、前記ハンドオーバにおける前記ＵＥのためのリソースを割り当てるために追加要求メッセージを送ること（１５００）と、
前記ターゲット２次ノード（１６０８）から追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記ネットワークノードからメッセージを送ること（１５０４）と
を含み、
前記コンテキスト指示がフルＲＲＣコンテキストを含むことに応答して、前記ＵＥに送られた前記メッセージが、前のＥＮ−ＤＣ設定を解放するためのフラグを含み、
前記コンテキスト指示がデルタＲＲＣコンテキストを含むことに応答して、前記ＵＥに送られた前記メッセージが、ＥＮ−ＤＣ設定を解放するための指示を含まない、方法。
【請求項２】
前記フルＲＲＣコンテキストが適用されるべきであることを前記ネットワークノードが指示したことに応答して、ターゲット１次ノードが、前記前のＥＮ−ＤＣ設定を解放するための前記フラグをセットする、請求項１に記載の方法。
【請求項３】
前記フルＲＲＣコンテキストまたは前記デルタＲＲＣコンテキストが、前記ネットワークノードに対応するマスタセルグループ（ＭＣＧ）と、ソース２次ノードに対応する２次セルグループ（ＳＣＧ）とのためのデータを含む、請求項１に記載の方法。
【請求項４】
前記追加要求確認応答メッセージは、前記ターゲット２次ノードが、前記フルＲＲＣコンテキストまたは前記デルタＲＲＣコンテキストを適用したことを前記ネットワークノードに通知するＲＲＣ設定指示を含む、
請求項１に記載の方法。
【請求項５】
前記コンテキスト指示が前記追加要求確認応答メッセージ中のフラグ値を含む、請求項１に記載の方法。
【請求項６】
前記ネットワークノードがロング・ターム・エボリューション（ＬＴＥ）ノードを備え、前記ターゲット２次ノードが新しい無線（ＮＲ）２次ノードを備える、請求項１に記載の方法。
【請求項７】
ＵＥコンテキストがマスタセルグループ（ＭＣＧ）設定部分と２次セルグループ（ＳＣＧ）設定部分とを含み、
マスタターゲットノードが前記ＭＣＧ設定部分を処理することが可能でないことと、前記２次ターゲットノードが前記ＳＣＧ設定部分を処理することが可能であることとに応答して、前記ネットワークノードが、前記ＭＣＧ設定部分に対応する前記フルＲＲＣコンテキストを前記ターゲットマスタノードに解放し、前記ＳＣＧ設定部分に対応する前記フルＲＲＣコンテキストを前記２次ターゲットノードに解放する、
請求項１に記載の方法。
【請求項８】
ＵＥコンテキストがマスタセルグループ（ＭＣＧ）設定部分と２次セルグループ（ＳＣＧ）設定部分とを含み、
マスタターゲットノードが前記ＭＣＧ設定部分を処理することが可能であることと、前記２次ターゲットノードが前記ＳＣＧ設定部分を処理することが可能でないこととに応答して、前記ネットワークノードが、前記ＭＣＧ設定部分に対応する前記デルタＲＲＣコンテキストを前記ターゲットマスタノードに解放し、前記ＳＣＧ設定部分に対応する前記フルＲＲＣコンテキストを前記２次ターゲットノードに解放する、
請求項１に記載の方法。
【請求項９】
ＵＥコンテキストがマスタセルグループ（ＭＣＧ）設定部分と２次セルグループ（ＳＣＧ）設定部分とを含み、
マスタターゲットノードが前記ＭＣＧ設定部分を処理することが可能でないことに応答して、前記ネットワークノードが、前記ＭＣＧ設定部分に対応する前記フルＲＲＣコンテキストを前記ターゲットマスタノードに解放し、前記ＳＣＧ設定部分に対応する前記フルＲＲＣコンテキストを前記２次ターゲットノードに解放する、
請求項１に記載の方法。
【請求項１０】
前記ネットワークノードが、前記フルＲＲＣコンテキストまたは前記デルタＲＲＣコンテキストを適用するためにＲＲＣ接続再設定メッセージを前記ＵＥに送る、請求項１に記載の方法。
【請求項１１】
ネットワークノードのプロセッサによって実行されたとき、前記ネットワークノードに、請求項１から１０のいずれか一項に記載の方法の動作を実施させるプログラムコードを記憶する非一時的コンピュータ可読媒体を備える、コンピュータプログラム製品。
【請求項１２】
請求項１から１０のいずれか一項に記載の方法を実施するように適合されたネットワークノード。
【請求項１３】
新しい無線電気通信システムにおいて、ユーザ機器（ＵＥ）（１６０２）のハンドオーバにおけるデュアルコネクティビティを提供するためのネットワークノード（１６０４）であって、前記ネットワークノードは、
前記ネットワークノードから、およびターゲット２次ノード（１６０８）に、前記ハンドオーバにおける前記ＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記ネットワークノードから前記ＵＥに、前記コンテキスト指示を含むメッセージを送ること（１５０４）と
を行うように設定され、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、ネットワークノード（１６０４）。
【請求項１４】
請求項２から１０のいずれか一項に記載の方法を実施するようにさらに設定された、請求項１３に記載のネットワークノード。
【請求項１５】
新しい無線電気通信システムにおいて、ユーザ機器（ＵＥ）（１６０２）のハンドオーバにおけるデュアルコネクティビティを提供するようにマスタノード（１６０４）を動作させる方法であって、前記方法は、
前記マスタノードから、およびターゲット２次ノードに、前記ハンドオーバにおける前記ＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記ネットワークノードから前記ＵＥに、前記コンテキスト指示を含むメッセージを送ること（１５０４）と
を含み、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、方法。
【請求項１６】
前記コンテキスト指示が、ターゲットマスタノードがＭＣＧ設定部分を処理することが可能であることと、前記ターゲット２次ノードがＵＥコンテキストのＳＣＧ部分を処理することが可能でないこととをシグナリングすることに応答して、前記マスタノードが、前記ＭＣＧ設定部分に対応する前記デルタＲＲＣコンテキストを前記ターゲットマスタノードに解放し、前記ＳＣＧ設定部分に対応する前記フルＲＲＣコンテキストを前記２次ターゲットノードに解放する、請求項１５に記載の方法。
【請求項１７】
前記コンテキスト指示が、ターゲットマスタノードが前記ＭＣＧ設定部分を処理することが可能でないことと、前記ターゲット２次ノードが前記ＵＥコンテキストの前記ＳＣＧ設定部分を処理することが可能であることとをシグナリングすることに応答して、前記マスタノードが、前記ＭＣＧ設定部分に対応する前記フルＲＲＣコンテキストを前記ターゲットマスタノードに解放し、前記ＳＣＧ設定部分に対応する前記フルＲＲＣコンテキストを前記２次ターゲットノードに解放する、請求項１５に記載の方法。
【請求項１８】
前記コンテキスト指示が設定データの不在を指示することに応答して、前記マスタノードが、前記ＭＣＧ設定部分に対応する前記フルＲＲＣコンテキストを前記ターゲットマスタノードに解放し、前記ＳＣＧ設定部分に対応する前記フルＲＲＣコンテキストを前記２次ターゲットノードに解放する、請求項１５に記載の方法。
【請求項１９】
マスタノードのプロセッサによって実行されたとき、前記マスタノードに、請求項１５から１８のいずれか一項に記載の方法の動作を実施させるプログラムコードを記憶する非一時的コンピュータ可読媒体を備える、コンピュータプログラム製品。
【請求項２０】
請求項１５から１８のいずれか一項に記載の方法を実施するように適合されたマスタノード（ＭＮ）（１６０４）。
【請求項２１】
デュアルコネクティビティを提供するためのマスタノード（１６０４）であって、前記マスタノードは、
前記マスタノードから、およびターゲット２次ノードに、ハンドオーバにおけるＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記マスタノードから前記ＵＥに、前記コンテキスト指示を含むメッセージを送ること（１５０４）と
を行うように設定され、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、マスタノード（１６０４）。
【請求項２２】
請求項１５から１８のいずれか一項に記載の方法を実施するようにさらに設定された、請求項２１に記載のマスタノード。
【請求項２３】
デュアルコネクティビティを提供するようにマスタノード（１６０４）を動作させる方法であって、前記方法は、
前記マスタノードから、およびターゲット２次ノードに、ハンドオーバにおけるＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記マスタノードから前記ＵＥに、前記コンテキスト指示を含むメッセージを送ること（１５０４）と
を含み、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、方法。
【請求項２４】
前記マスタノードがＬＴＥ  ｅＮＢノードであり、前記ターゲット２次ノードがＮＲ  ＳｇＮＢノードである、請求項２３に記載の方法。
【請求項２５】
無線端末（１３００）とのデュアルコネクティビティ（ＤＣ）通信を提供するために第２のネットワークノード（１４００）と協働して動作するための第１のネットワークノード（１４００）であって、したがって、前記第１のネットワークノードが、前記第１のネットワークノードと前記無線端末との間の第１の無線インターフェース上で、マスタセルグループ（ＭＣＧ）を使用するマスタノードとして動作し、したがって、前記第２のネットワークノードが、２次ノードと前記無線端末との間の第２の無線インターフェース上で、２次セルグループ（ＳＣＧ）を使用する前記２次ノードとして動作し、前記第１のネットワークノードは、
前記第１のネットワークノードから、およびターゲット２次ノードに、ハンドオーバにおけるＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記第１のネットワークノードから前記ＵＥに、前記コンテキスト指示を含むメッセージを送ること（１５０４）と
を行うように適合され、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、第１のネットワークノード（１４００）。
【請求項２６】
前記フルＲＲＣコンテキストおよび前記デルタＲＲＣコンテキストが、前記ネットワークノードに対応する前記マスタセルグループ（ＭＣＧ）と、ソース２次ノードに対応する前記２次セルグループ（ＳＣＧ）とのためのデータを含む、請求項２５に記載のネットワークノード。
【請求項２７】
前記追加要求メッセージが追加トリガ指示を含み、
前記追加要求メッセージが前記追加トリガ指示を含むことに応答して、前記追加要求確認応答メッセージは、フル設定またはデルタ設定を適用した前記ターゲット２次ノードである前記ネットワークノードに通知するＲＲＣ設定指示を含む、
請求項２５に記載のネットワークノード。
【請求項２８】
前記コンテキスト指示が前記追加要求確認応答メッセージ中のフラグ値を含む、請求項２５に記載のネットワークノード。
【請求項２９】
前記ネットワークノードがロング・ターム・エボリューション（ＬＴＥ）ノードを備え、前記ターゲット２次ノードが新しい無線（ＮＲ）２次ノードを備える、請求項２５に記載のネットワークノード。
【請求項３０】
ＵＥコンテキストがマスタセルグループ（ＭＣＧ）設定部分と２次セルグループ（ＳＣＧ）設定部分とを含み、
マスタターゲットノードが前記ＭＣＧ設定部分を処理することが可能でないことと、前記２次ターゲットノードが前記ＳＣＧ設定部分を処理することが可能であることとに応答して、前記ネットワークノードが、前記ＭＣＧ設定部分に対応する前記フルＲＲＣコンテキストを前記ターゲットマスタノードに解放し、前記ＳＣＧ設定部分に対応する前記フルＲＲＣコンテキストを前記２次ターゲットノードに解放する、
請求項２５に記載のネットワークノード。
【請求項３１】
前記ＵＥコンテキストが前記マスタセルグループ（ＭＣＧ）設定部分と前記２次セルグループ（ＳＣＧ）設定部分とを含み、
マスタターゲットノードが前記ＭＣＧ設定部分を処理することが可能であることと、前記２次ターゲットノードが前記ＳＣＧ設定部分を処理することが可能でないこととに応答して、前記ネットワークノードが、前記ＭＣＧ設定部分に対応する前記デルタＲＲＣコンテキストを前記ターゲットマスタノードに解放し、前記ＳＣＧ設定部分に対応する前記フルＲＲＣコンテキストを前記２次ターゲットノードに解放する、
請求項２５に記載のネットワークノード。
【請求項３２】
前記ＵＥコンテキストが前記マスタセルグループ（ＭＣＧ）設定部分と前記２次セルグループ（ＳＣＧ）設定部分とを含み、
マスタターゲットノードが前記ＭＣＧ設定部分を処理することが可能でないことに応答して、前記ネットワークノードが、前記ＭＣＧ設定部分に対応する前記フルＲＲＣコンテキストを前記ターゲットマスタノードに解放し、前記ＳＣＧ設定部分に対応する前記フルＲＲＣコンテキストを前記２次ターゲットノードに解放する、
請求項２５に記載のネットワークノード。
【請求項３３】
前記ネットワークノードが、前記フルＲＲＣコンテキストまたは前記デルタＲＲＣコンテキストを適用するためにＲＲＣ接続再設定メッセージを前記ＵＥに送る、請求項２５に記載のネットワークノード。
【発明の詳細な説明】
【技術分野】
【０００１】
本開示は、ユーザ機器のコネクティビティを制御するための、通信システムにおけるネットワークノードおよびアプリケーションサーバによる方法および動作に関する。
【背景技術】
【０００２】
ＬＴＥでは、ユーザ機器（ＵＥ）とｅＮＢとの間の無線接続を設定／セットアップおよび維持するために、無線リソース制御（ＲＲＣ）プロトコルが使用される。ＵＥがｅＮＢからＲＲＣメッセージを受信したとき、ＵＥは設定を適用またはコンパイルし、これが成功した場合、ＵＥはＲＲＣ完了メッセージを生成し、ＲＲＣ完了メッセージは、この応答をトリガしたメッセージのトランザクションＩＤを指示する。
【０００３】
ＬＴＥの最近のリリースでは、３つのシグナリング無線ベアラ（ＳＲＢ）、すなわち、ＳＲＢ０、ＳＲＢ１およびＳＲＢ２が、ＵＥとｅＮＢとの間のＲＲＣメッセージおよび非アクセス層（ＮＡＳ）メッセージのトランスポートのために利用可能になっている。また、ＳＲＢ１ｂｉｓとして知られる新しいＳＲＢが、ＮＢ−ＩｏＴにおけるＤｏＮＡＳ（データオーバーＮＡＳ）をサポートするために導入された。
【０００４】
ＳＲＢ０は、ＣＣＣＨ論理チャネルを使用するＲＲＣメッセージのために使用され得、ＲＲＣ接続セットアップ、ＲＲＣ接続再開およびＲＲＣ接続再確立をハンドリングするために使用され得る。ＵＥがｅＮＢに接続される（すなわち、ＲＲＣ接続セットアップまたはＲＲＣ接続再確立／再開が成功する）と、ＳＲＢ１は、すべてがＤＣＣＨ論理チャネルを使用する、（ピギーバックＮＡＳメッセージを含み得る）ＲＲＣメッセージをハンドリングするために、ならびに、ＳＲＢ２の確立より前のＮＡＳメッセージのために使用され得る。
【０００５】
ＳＲＢ２は、すべてがＤＣＣＨ論理チャネルを使用する、ロギングされた測定情報を含むＲＲＣメッセージのために、ならびに、ＮＡＳメッセージのために使用され得る。ＳＲＢ２は、ロギングされた測定情報およびＮＡＳメッセージが、冗長であり得、より緊急のおよびより小さいＳＲＢ１メッセージの阻止を引き起こし得るので、ＳＲＢ１よりも低い優先度を有し得る。ＳＲＢ２は、セキュリティアクティブ化の後にＥ−ＵＴＲＡＮによって設定され得る。
【発明の概要】
【０００６】
本明細書で説明されるいくつかの実施形態は、新しい無線（ｎｅｗ  ｒａｄｉｏ）電気通信システムにおいて、ユーザ機器（ＵＥ）のハンドオーバにおけるデュアルコネクティビティを提供するようにネットワークノードを動作させる方法を含む。方法は、ネットワークノードから、およびターゲット２次ノードに、ハンドオーバにおけるＵＥのためのリソースを割り当てるために追加要求メッセージを送ることを含み得る。動作は、ターゲット２次ノードから追加要求確認応答メッセージを受信することであって、追加要求確認応答メッセージが、フル無線リソース制御（ＲＲＣ）コンテキストまたはデルタＲＲＣコンテキストに関するコンテキスト指示を含み、デルタＲＲＣコンテキストが、現在のＵＥコンテキストにおけるデータに対して更新されたデータを含む、追加要求確認応答メッセージを受信することを含む。動作は、受信されたコンテキスト指示に基づいて、ネットワークノードからＵＥに、コンテキスト指示を含むメッセージを送ることを含み得る。コンテキスト指示がフルＲＲＣコンテキストを含むことに応答して、ＵＥに送られたメッセージは、前のＥＮ−ＤＣ設定を解放し、ＵＥにフルＲＲＣコンテキストを追加するための、フラグを含む。コンテキスト指示がデルタＲＲＣコンテキストを含むことに応答して、フラグを含むメッセージはＵＥに送られない。
【０００７】
いくつかの実施形態は、新しい無線電気通信システムにおいて、ユーザ機器（ＵＥ）のハンドオーバにおけるデュアルコネクティビティを提供するためのネットワークノードを対象とする。ネットワークノードは、ネットワークノードから、およびターゲット２次ノードに、ハンドオーバにおけるＵＥのためのリソースを割り当てるために追加要求メッセージを送ることと、ターゲット２次ノードから追加要求確認応答メッセージを受信することとを行うように設定される。追加要求確認応答メッセージは、フル無線リソース制御（ＲＲＣ）コンテキストまたはデルタＲＲＣコンテキストに関するコンテキスト指示を含む。デルタＲＲＣコンテキストは、現在のＵＥコンテキストにおけるデータに対して更新されたデータを含む。受信されたコンテキスト指示に基づいて、ネットワークノードは、ネットワークノードからＵＥに、コンテキスト指示を含むメッセージを送るようにさらに設定される。コンテキスト指示がフルＲＲＣコンテキストを含むことに応答して、ＵＥに送られたメッセージは、前のＥＮ−ＤＣ設定を解放し、ＵＥにフルＲＲＣコンテキストを追加するための、フラグを含む。コンテキスト指示がデルタＲＲＣコンテキストを含むことに応答して、フラグを含むメッセージはＵＥに送られない。
【０００８】
実施形態は、新しい無線電気通信システムにおいて、ユーザ機器（ＵＥ）のハンドオーバにおけるデュアルコネクティビティを提供するようにマスタノードを動作させる方法を対象とし得る。方法は、マスタノードから、およびターゲット２次ノードに、ハンドオーバにおけるＵＥのためのリソースを割り当てるために追加要求メッセージを送ることと、ターゲット２次ノードから追加要求確認応答メッセージを受信することであって、追加要求確認応答メッセージが、フル無線リソース制御（ＲＲＣ）コンテキストまたはデルタＲＲＣコンテキストに関するコンテキスト指示を含み、デルタＲＲＣコンテキストが、現在のＵＥコンテキストにおけるデータに対して更新されたデータを含む、追加要求確認応答メッセージを受信することと、受信されたコンテキスト指示に基づいて、ネットワークノードからＵＥに、コンテキスト指示を含むメッセージを送ることとを含み得る。コンテキスト指示がフルＲＲＣコンテキストを含むことに応答して、ＵＥに送られたメッセージは、前のＥＮ−ＤＣ設定を解放し、ＵＥにフルＲＲＣコンテキストを追加するための、フラグを含む。コンテキスト指示がデルタＲＲＣコンテキストを含むことに応答して、フラグを含むメッセージはＵＥに送られない。
【０００９】
いくつかの実施形態は、デュアルコネクティビティを提供するためのマスタノードを対象とする。マスタノードは、マスタノードから、およびターゲット２次ノードに、ハンドオーバにおけるＵＥのためのリソースを割り当てるために追加要求メッセージを送ることと、ターゲット２次ノードから追加要求確認応答メッセージを受信することであって、追加要求確認応答メッセージが、フル無線リソース制御（ＲＲＣ）コンテキストまたはデルタＲＲＣコンテキストに関するコンテキスト指示を含み、デルタＲＲＣコンテキストが、現在のＵＥコンテキストにおけるデータに対して更新されたデータを含む、追加要求確認応答メッセージを受信することと、受信されたコンテキスト指示に基づいて、マスタノードからＵＥに、コンテキスト指示を含むメッセージを送ることとを行うように設定される。コンテキスト指示がフルＲＲＣコンテキストを含むことに応答して、ＵＥに送られたメッセージは、前のＥＮ−ＤＣ設定を解放し、ＵＥにフルＲＲＣコンテキストを追加するための、フラグを含む。コンテキスト指示がデルタＲＲＣコンテキストを含むことに応答して、フラグを含むメッセージはＵＥに送られない。
【００１０】
いくつかの実施形態は、デュアルコネクティビティを提供するようにマスタノードを動作させる方法を対象とする。方法は、マスタノードから、およびターゲット２次ノードに、ハンドオーバにおけるＵＥのためのリソースを割り当てるために追加要求メッセージを送ることと、ターゲット２次ノードから追加要求確認応答メッセージを受信することであって、追加要求確認応答メッセージが、フル無線リソース制御（ＲＲＣ）コンテキストまたはデルタＲＲＣコンテキストに関するコンテキスト指示を含み、デルタＲＲＣコンテキストが、現在のＵＥコンテキストにおけるデータに対して更新されたデータを含む、追加要求確認応答メッセージを受信することとを含み得る。方法は、受信されたコンテキスト指示に基づいて、マスタノードからＵＥに、コンテキスト指示を含むメッセージを送ることを含み得る。コンテキスト指示がフルＲＲＣコンテキストを含むことに応答して、ＵＥに送られたメッセージは、前のＥＮ−ＤＣ設定を解放し、ＵＥにフルＲＲＣコンテキストを追加するための、フラグを含む。コンテキスト指示がデルタＲＲＣコンテキストを含むことに応答して、フラグを含むメッセージはＵＥに送られない。
【００１１】
いくつかの実施形態は、無線端末とのデュアルコネクティビティ（ＤＣ）通信を提供するために第２のネットワークノードと協働して動作するための第１のネットワークノードであって、したがって、第１のネットワークノードが、第１のネットワークノードと無線端末との間の第１の無線インターフェース上で、マスタセルグループ（ＭＣＧ）を使用するマスタノードとして動作し、したがって、第２のネットワークノードが、２次ノードと無線端末との間の第２の無線インターフェース上で、２次セルグループ（ＳＣＧ）を使用する２次ノードとして動作する、第１のネットワークノードを対象とする。第１のネットワークノードは、第１のネットワークノードから、およびターゲット２次ノードに、ハンドオーバにおけるＵＥのためのリソースを割り当てるために追加要求メッセージを送ることと、ターゲット２次ノードから追加要求確認応答メッセージを受信することであって、追加要求確認応答メッセージが、フル無線リソース制御（ＲＲＣ）コンテキストまたはデルタＲＲＣコンテキストに関するコンテキスト指示を含み、デルタＲＲＣコンテキストが、現在のＵＥコンテキストにおけるデータに対して更新されたデータを含む、追加要求確認応答メッセージを受信することとを行うように適合される。第１のネットワークノードは、受信されたコンテキスト指示に基づいて、ネットワークノードからＵＥに、コンテキスト指示を含むメッセージを送るようにさらに設定される。コンテキスト指示がフルＲＲＣコンテキストを含むことに応答して、ＵＥに送られたメッセージは、前のＥＮ−ＤＣ設定を解放し、ＵＥにフルＲＲＣコンテキストを追加するための、フラグを含む。コンテキスト指示がデルタＲＲＣコンテキストを含むことに応答して、フラグを含むメッセージはＵＥに送られない。
【００１２】
本開示の態様は、例として示され、添付の図面によって限定されない。
【図面の簡単な説明】
【００１３】
【図１】本開示の様々な実施形態による、マスタノードと２次ノードとを含む、ＬＴＥデュアルコネクティビティ（ＤＣ）におけるユーザプレーン（ＵＰ）の概略ブロック図である。
【図２】本開示の様々な実施形態による、マスタノードと２次ノードとの間のＬＴＥ  ＮＲインターワーキングのためのユーザプレーン（ＵＰ）アーキテクチャの概略ブロック図である。
【図３】本開示の様々な実施形態による、マスタノードと２次ノードとの間のＬＴＥ  ＮＲインターワーキングのための制御プレーン（ＣＰ）アーキテクチャの概略ブロック図である。
【図４】本開示の様々な実施形態による、無線ネットワークの概略ブロック図である。
【図５】本開示の様々な実施形態による、ユーザ機器の概略ブロック図である。
【図６】本開示の様々な実施形態によって実装される機能が仮想化され得る、仮想化環境を示す概略ブロック図である。
【図７】本開示の様々な実施形態による、中間ネットワークを介してホストコンピュータに接続された電気通信ネットワークを示す概略ブロック図である。
【図８】本開示の様々な実施形態による、部分的無線接続上で基地局を介してユーザ機器と通信するホストコンピュータを示す概略ブロック図である。
【図９】本開示の様々な実施形態による、通信システムにおいて実装される方法を示すフローチャートである。
【図１０】本開示の様々な実施形態による、通信システムにおいて実装される方法を示すフローチャートである。
【図１１】本開示の様々な実施形態による、通信システムにおいて実装される方法を示すフローチャートである。
【図１２】本開示の様々な実施形態による、通信システムにおいて実装される方法を示すフローチャートである。
【図１３】本明細書で説明される通信システムにおいて使用され、本開示の様々な実施形態に従って動作するように設定され得る、ユーザ機器のブロック図である。
【図１４】様々な実施形態による、本明細書で開示されるような動作を実施する、ネットワークノード中に常駐するモジュールを示す図である。
【図１５】本開示の様々な実施形態による、通信システムにおいて実装される方法を示すフローチャートである。
【図１６】本開示の様々な実施形態によるデータフロー図である。
【発明を実施するための形態】
【００１４】
次に、発明概念の実施形態の例が示されている添付の図面を参照しながら、発明概念が以下でより十分に説明される。しかしながら、発明概念は、多くの異なる形態で具現され得、本明細書に記載される実施形態に限定されるものとして解釈されるべきではない。むしろ、これらの実施形態は、本開示が徹底的かつ完全であり、本発明概念の範囲を当業者に十分に伝達するように提供される。これらの実施形態は相互排他的でないことにも留意されたい。一実施形態からの構成要素が、別の実施形態において存在する／使用されると暗に仮定され得る。以下で説明される２つまたはそれ以上の実施形態は、任意のやり方で互いに組み合わせられ得る。
【００１５】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【００１６】
次に、本開示の様々な実施形態による、マスタノードと２次ノードとを含む、ＬＴＥデュアルコネクティビティ（ＤＣ）におけるユーザプレーン（ＵＰ）の概略ブロック図を示す図１が簡単に参照される。
【００１７】
いくつかの実施形態では、Ｅ−ＵＴＲＡＮはデュアルモードコネクティビティ（ＤＣ）動作をサポートし、それらの動作において、ＲＲＣ＿ＣＯＮＮＥＣＴＥＤにあるマルチプルＲｘ／Ｔｘ  ＵＥが、Ｘ２インターフェース上で理想的でないバックホールを介して接続された２つのｅＮＢ中に位置する２つの異なったスケジューラによって提供される無線リソースを利用するように設定される。あるＵＥについてのＤＣに関与するｅＮＢが、少なくとも２つの異なる役割を仮定し得る。第１の役割では、ｅＮＢは、マスタノード（ＭＮ）として動作し得る。第２の役割では、ｅＮＢは、２次ノード（ＳＮ）として動作し得る。ＤＣでは、ＵＥは、１つのＭＮと１つのＳＮとに接続され得る。
【００１８】
ＬＴＥ  ＤＣでは、特定のベアラが使用する無線プロトコルアーキテクチャは、ベアラがどのようにセットアップされるかに依存し得る。たとえば、マスタセルグループ（ＭＣＧ）ベアラ、２次セルグループ（ＳＣＧ）ベアラおよびスプリットベアラ（ｓｐｌｉｔ  ｂｅａｒｅｒ）を含む、３つのベアラタイプが存在し得る。無線リソース制御（ＲＲＣ）はＭＮ中に位置し得る。信号無線ベアラ（ＳＲＢ）（シグナリング無線ベアラ）は、常に、ＭＣＧベアラタイプとして設定され得、したがって、ＭＮの無線リソースのみを使用し得る。
【００１９】
次に、本開示の様々な実施形態による、マスタノードと２次ノードとの間のＬＴＥ  ＮＲインターワーキングのための、ユーザプレーン（ＵＰ）アーキテクチャおよび制御プレーン（ＣＰ）アーキテクチャのそれぞれの概略ブロック図を示す、図２および図３が参照される。いくつかの実施形態は、ＬＴＥ−ＮＲ緊密インターワーキング（ＬＴＥ−ＮＲ  ｔｉｇｈｔ  ｉｎｔｅｒｗｏｒｋｉｎｇ）と呼ばれることもあるＬＴＥ−ＮＲ（新しい無線）ＤＣが、ＳＣＧスプリットベアラと呼ばれることがある、ＳＮからのスプリットベアラを含み得ることを与える。ＬＴＥ−ＮＲ  ＤＣは、ＲＲＣのためのスプリットベアラと、ＳＣＧ  ＳＲＢと呼ばれることがある、ＳＮからの直接ベアラとをさらに含み得る。図２および図３は、ＬＴＥ−ＮＲ緊密インターワーキングのための、ユーザプレーン（ＵＰ）アーキテクチャおよび制御プレーン（ＣＰ）アーキテクチャを示す。
【００２０】
いくつかのＥＮ−ＤＣ実施形態では、ＬＴＥがマスタノードであり、ＮＲが２次ノードである場合、ＳＮはＳｇＮＢと呼ばれることがあり、ここで、ｇＮＢはＮＲ基地局であり、ＭＮはＭｅＮＢと呼ばれることがある。ＮＲがマスタであり、ＬＴＥが２次ノードであるいくつかの実施形態では、対応する用語は、ＳｅＮＢおよびＭｇＮＢであり得る。
【００２１】
いくつかの実施形態は、ダイバーシティをもたらすためにスプリットＲＲＣメッセージが使用され得、送信側は、ＲＲＣメッセージをスケジュールするために、リンクのうちの１つを選定して、両方のリンクを介するメッセージを複製することのいずれかを判定することができることを与える。ダウンリンクでは、ＭＣＧレッグ（ｌｅｇ）またはＳＣＧレッグ間の経路切替えあるいは両方の上での複製が、ネットワーク実装に委ねられ得る。いくつかの実施形態では、ＵＬについて、ネットワークは、ＭＣＧレッグ、ＳＣＧレッグまたは両方のレッグを使用するようにＵＥを設定し得る。「レッグ」および「経路」という用語は、本開示全体にわたって互換的に使用され得る。
【００２２】
本開示では、異なるデュアルコネクティビティシナリオを区別するために、特定の専門用語が全体を通して使用され得る。たとえば、ＤＣのコンテキストにおいて、ＬＴＥとＮＲの両方が、マスタノードと２次ノードの両方によって採用され得る。ＥＮ−ＤＣ：ＬＴＥ−ＮＲは、ＬＴＥがマスタノードであり、ＮＲが２次ノードであるデュアルコネクティビティを表し得る。ＮＥ−ＤＣ：ＬＴＥ−ＮＲは、ＮＲがマスタノードであり、ＬＴＥが２次ノードであるデュアルコネクティビティを表し得る。ＮＲ−ＮＲ  ＤＣと呼ばれることもあるＮＲ−ＤＣは、マスタノードと２次ノードの両方がＮＲを採用するデュアルコネクティビティを表し得る。さらに、マルチＲＡＴ  ＤＣと呼ばれることもあるＭＲ−ＤＣは、異なるＲＡＴを採用する、マスタノードと２次ノードとを表すための総称語であり得る。ＥＮ−ＤＣおよびＮＥ−ＤＣは、ＭＲ−ＤＣの２つの異なる例示的な事例であり得る。
【００２３】
いくつかの実施形態は、これらのベアラがネットワーク中のどこにおいて終端するかが、ＵＥの観点からもはや重要でないことを与える。たとえば、ＵＥは、各ベアラのために設定されているセキュリティキーを使用し得る。ＲＡＮ２の観点から、ＭＣＧベアラが、Ｓ−ＫｅＮＢを使用してＳＮにおいて終端するように、およびＳＣＧベアラがＭＮにおいて終端するようにセットアップすることが、完全にサポートされ得る。同様に、ＳＮとＭＮの両方において同時に終端するベアラをサポートすることが可能である。たとえば、ＳＮにおいて終端するスプリットベアラとＭＮにおいて終端するスプリットベアラの両方が、サポートされ得る。
【００２４】
いくつかの実施形態は、フルＲＲＣ設定が、ＬＴＥにおいてサポートされ得ることを与える。ＬＴＥでは、ハンドオーバ（ＨＯ）または再確立中に、ＵＥコンテキストが、ソースｅＮＢからターゲットｅＮＢに受け渡され得る。ターゲットｅＮＢがＵＥ設定のどのパートも理解しない場合、ターゲットｅＮＢはフル設定をトリガし得る。フル設定プロシージャは、以下で与えられる３ＧＰＰ  ＴＳ３６．３３１  セクション５．３．５．８において指定されている。
2021503750.tif 000003
【００２５】
上記で与えられているように、フル設定オプションは無線設定の初期化を含み得、これは、プロシージャを、セキュリティアルゴリズムがＲＲＣ再確立の間継続されることを除いて、（１つまたは複数の）ソースセルにおいて使用される設定とは無関係にし得る。ＤＲＢがｄｒｂ−ＴｏＡｄｄＭｏｄＬｉｓｔ中に含まれない場合、ＤＲＢは解放され得、したがって、ベアラの解放を指示する、上位レイヤへのメッセージが送られ得る。たとえば、（１つまたは複数の）解放されたベアラに関連する（１つまたは複数の）データサービスを継続するために、ゼロからの本格的なベアラセットアップが実施され得る。ｄｒｂ−ｔｏＡｄｄＭｏｄＬｉｓｔ中に含まれるベアラについて、ＰＤＣＰ／ＲＬＣ／ＬＣＨエンティティが、解放され、再び確立され得る。
【００２６】
いくつかの実施形態では、フル設定を使用することによる利点は、ハンドオーバのターゲットノードが、ソースノードにおけるＵＥ設定を理解する必要がないことがあるということであり得る。そのような実施形態では、ＲＲＣおよび他のプロトコルの異なるプロトコルバージョンをサポートする異なるノード間のモビリティがサポートされ得る。さらに、ソースノードとターゲットノードとが、ＵＥハンドリングおよび設定のための異なるソリューションをサポートする事態がサポートされ得る。そのような事例の例は、異なるアルゴリズムを使用し得るソリューションを含む。
【００２７】
いくつかの実施形態は、デルタシグナリングに対するフル設定を使用することの欠点が、フル設定が、ＵＥコンテキストの関連するパートのみが再設定されるデルタシグナリングに対して、無線上で送られるメッセージがより大きくなることにつながり得ることであることを与える。
【００２８】
ＬＴＥ  ＤＣの場合、ＲＲＣが、依然として、ＭＮにおいてのみ維持されるので、フル設定は、設定のＭＣＧパートとＳＣＧパートの両方に適用され得る。ＥＮ−ＤＣの場合、フル設定の考慮事項についての状況は、ＵＥ設定中にＬＴＥパートとＮＲパートとがあり得るので、ＬＴＥ  ＤＣとは異なり得る。ＥＮ−ＤＣについてのＲＲＣＣｏｎｎｅｃｔｉｏｎＲｅｃｏｎｆｉｇｕｒａｔｉｏｎメッセージの関連する部分が、以下で再現される。
2021503750.tif 000004
【００２９】
ＨＯ中に、ソースｅＮＢは、ＨＯ要求メッセージ中にターゲットへのＨａｎｄｏｖｅｒＰｒｅｐａｒａｔｉｏｎＩｎｆｏｒｍａｔｉｏｎメッセージを含め得る。ＥＮ−ＤＣについてのＨａｎｄｏｖｅｒＰｒｅｐａｒａｔｉｏｎＩｎｆｏｒｍａｔｉｏｎメッセージの関連する部分が、以下で与えられる。
2021503750.tif 000005
【００３０】
わかるように、ＨａｎｄｏｖｅｒＰｒｅｐａｒａｔｉｏｎＩｎｆｏｒｍａｔｉｏｎメッセージ中のｓｏｕｒｃｅＣｏｎｆｉｇ−ｒ１５  ＩＥは、ＲＲＣＲｅｃｏｎｆｉｇｕｒａｔｉｏｎを含んでいることがある。ＲＲＣＣｏｎｎｅｃｔｉｏｎＲｅｃｏｎｆｉｇｕｒａｔｉｏｎメッセージでは、太字で強調されたパートは、ターゲットｅＮＢ（すなわち、ＭＣＧ設定）に関連し得る。イタリック体で示されている部分は、ターゲットＳＮ（すなわち、ＳＣＧ設定）に関連し得る。ＳＮに関連するパートは、ＳｇＮＢ追加中にターゲットＳＮに随意に送られ得るＳＣＧ−ＣｏｎｆｉｇＩｎｆｏ中に含まれるパートであり得る。
【００３１】
本明細書の実施形態は、ターゲットｅＮＢおよびＳｇＮＢが、それらに関連する設定を理解することができるかどうかに応じて、４つの異なるシナリオが考慮され得ることを与える。第１のシナリオは、ターゲットｅＮＢがＭＣＧパートを理解し、ターゲットＳＮがＳＣＧパートを理解するシナリオである。このシナリオでは、ターゲットｅＮＢとターゲットＳＮの両方が、それらに関連する設定を理解するので、デルタ設定が、ＭＣＧ設定とＳＣＧ設定の両方に適用され得る。
【００３２】
第２のシナリオは、ターゲットｅＮＢがＭＣＧパートを理解せず、ターゲットＳＮがＳＣＧパートを理解しないことを与える。このシナリオでは、ターゲットｅＮＢとターゲットＳＮの両方が、それらに関連する設定を理解しないので、フル設定が、ＭＣＧ設定とＳＣＧ設定の両方に適用され得る。
【００３３】
第３のシナリオは、ターゲットｅＮＢがＭＣＧパートを理解し、ターゲットＳＮがＳＣＧパートを理解しないことを与え、第４のシナリオは、ターゲットｅＮＢがＭＣＧパートを理解せず、ターゲットＳＮがＳＣＧパートを理解することを与える。本明細書の実施形態は、フル再設定またはデルタ再設定のうちのどちらが、ＭＣＧ設定およびＳＣＧ設定に適用され得るかを決定するための、第３および第４のシナリオに対応する手法を提供し得る。
【００３４】
本開示のいくつかの態様およびそれらの実施形態は、これらまたは他の課題のソリューションを提供し得る。いくつかの実施形態は、ＥＮ−ＤＣにおけるフル設定およびデルタＲＲＣ設定の問題に対処し得る。いくつかの実施形態によれば、ターゲットｅＮＢが、ソースｅＮＢからターゲットｅＮＢに受け渡されるＵＥ設定のＭＣＧパートを理解しない場合、フル設定が、ＭＣＧ設定とＳＣＧ設定の両方に適用され得る。そのような実施形態では、ターゲットｅＮＢは、ＳｇＮＢ追加要求時に、フルＳＣＧ設定が適用され得ることをターゲットＳＮに通信し得る。
【００３５】
ターゲットｅＮＢがＵＥ設定のＭＣＧパートを理解するが、ＳｇＮＢがＳＣＧ設定を理解しない場合、フルＳＣＧ設定が適用され得るが、デルタ設定がＭＣＧについて使用され得る。そのような実施形態では、ターゲットＳｇＮＢは、ＳｇＮＢ追加要求確認応答を受信すると、ターゲットＳｇＮＢが提供しているＳＣＧ設定がフル設定であるという指示を、ＭＮに提供し得る。デルタ設定を使用することの１つの利点は、フル設定に対してメッセージサイズがより小さいことであり得、これは、ネットワークおよび無線負荷および干渉、ならびに／またはデバイスにおけるバッテリー消費量を低減し得る。
【００３６】
本明細書で説明されるように、本明細書で開示される問題のうちの１つまたは複数に対処する様々な実施形態が、以下の技術的利点のうちの１つまたは複数を提供し得る。本明細書のいくつかの実施形態による方法は、ＳｇＮＢがＵＥのＳＣＧ設定を理解することが可能でない場合でも、ターゲットｅＮＢがＵＥのＭＣＧ設定を理解することが可能であるとき、フルＭＣＧ設定が使用されないことがあることを与え得る。
【００３７】
さらに、いくつかの実施形態によれば、ターゲットｅＮＢがＭＣＧ設定を理解しないとき、いくつかの実施形態は、レガシーフル再設定が、規格化の大きい変更の必要なしに、ＭＣＧ設定とＳＣＧ設定との両方をフルに再設定するために再使用され得ることを与える。特定の実施形態が、これらの利点のすべてを提供するか、いくつかを提供するか、またはいずれをも提供しないことがあり、他の利点が、以下で記載される開示から容易に明らかになり得る。
【００３８】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００３９】
本明細書のいくつかの実施形態は、ＭＮが、ＬＴＥ  ＲＲＣを稼働しているｅＮＢであり、ＳＮが、ＮＲを稼働しているｇＮＢである、ＥＮ−ＤＣに対応し得る。しかしながら、本明細書の実施形態は、ＭＮおよびＳＮが、異なるＲＡＴからのＲＲＣ仕様を使用している、任意のＭＲ−ＤＣネットワークに等しく適用可能であり得る。さらに、本明細書の様々な実施形態は、適宜に組み合わせられおよび／または修正され得る。
【００４０】
ＥＮ−ＤＣにおけるＨＯ中に、ターゲットｅＮＢが、ソースｅＮＢから受け渡されるＵＥの設定のＭＣＧパートを理解する場合、ＭＣＧのフル設定を行うことは必要でないことがある。代わりに、ＳＣＧのみのフル再設定を行うことは十分であり得る。そのような実施形態では、ＳｇＮＢは、フルＳＣＧ設定が適用されるべきであることを（たとえば、ＳｇＮＢ追加要求ＡＣＫメッセージ中で）ＭＮに通知し得る。
【００４１】
いくつかの実施形態では、ＥＮ−ＤＣにおいて、ＨＯプロシージャ中に、ターゲットＳｇＮＢがＳＣＧ設定を理解しない場合、ターゲットＳｇＮＢは、ＳｇＮＢ追加要求ＡＣＫメッセージ中に、フルＳＣＧ設定が適用されるべきであり、ならびにフルＳＣＧ設定が適用されるべきであるという指示を含め得る。たとえば、ＥＮ−ＤＣについてのＲＲＣＣｏｎｎｅｃｔｉｏｎＲｅｃｏｎｆｉｇｕｒａｔｉｏｎプロシージャの例示的な部分は以下を与える。
１＞  受信されたＲＲＣＣｏｎｎｅｃｔｉｏｎＲｅｃｏｎｆｉｇｕｒａｔｉｏｎがｅｎ−ＤＣ−ｒｅｌｅａｓｅを含む場合、
２＞  ＴＳ３８．３３１  サブクローズ５．３．５．４ａにおいて指定されているような２次セルグループ解放を実施し、ｎｒ−ｓｅｃｏｎｄａｒｙＣｅｌｌＧｒｏｕｐＣｏｎｆｉｇを解放する。
１＞  受信されたＲＲＣＣｏｎｎｅｃｔｉｏｎＲｅｃｏｎｆｉｇｕｒａｔｉｏｎがｓｋ−ｃｏｕｎｔｅｒを含む場合、
２＞  ＴＳ３８．３３１  サブクローズ５．３．５．７において指定されているようなキー更新プロシージャを実施する。
１＞  受信されたＲＲＣＣｏｎｎｅｃｔｉｏｎＲｅｃｏｎｆｉｇｕｒａｔｉｏｎがｎｒ−ｓｅｃｏｎｄａｒｙＣｅｌｌＧｒｏｕｐＣｏｎｆｉｇを含む場合、
２＞  ＴＳ３８．３３１  サブクローズ５．３．５．３において指定されているようなＮＲ  ＲＲＣ再設定を実施する。
１＞  受信されたＲＲＣＣｏｎｎｅｃｔｉｏｎＲｅｃｏｎｆｉｇｕｒａｔｉｏｎがｒａｄｉｏＢｅａｒｅｒＣｏｎｆｉｇを含む場合、
２＞  ＴＳ３８．３３１  サブクローズ５．３．５．５において指定されているような無線ベアラ設定を実施する。
１＞  受信されたＲＲＣＣｏｎｎｅｃｔｉｏｎＲｅｃｏｎｆｉｇｕｒａｔｉｏｎがｒａｄｉｏＢｅａｒｅｒＣｏｎｆｉｇＳを含む場合、
２＞  ＴＳ３８．３３１  サブクローズ５．３．５．５において指定されているような無線ベアラ設定を実施する。
【００４２】
上記でわかるように、ＳＣＧは、ｅｎ−ＤＣ−ｒｅｌｅａｓｅフラグをセットすることによって、解放され、同じメッセージ中に追加され得、これは、ＳＣＧのフル設定と等価であり得る。したがって、ＳｇＮＢが、ＳｇＮＢ追加要求ＡＣＫメッセージ中で、フルＳＣＧ設定が適用されるべきであることを指示した場合、ターゲットｅＮＢがしなければならないことは、ｅｎ−ＤＣ−ｒｅｌｅａｓｅフラグをＴＲＵＥにセットすることだけである。
【００４３】
いくつかの実施形態によれば、ＥＮ−ＤＣにおいて、フルＳＣＧ再設定は、ＭＣＧのフル設定に戻る必要なしに、ＳＣＧを解放するために、ＲＲＣＣｏｎｎｅｃｔｉｏｎＲｅｃｏｎｆｉｇｕｒａｔｉｏｎメッセージ中のｅｎ−ＤＣ−ｒｅｌｅａｓｅビットをＴＲＵＥにセットすることによって達成され得る。ターゲットｅＮＢが、対応する設定を理解しない上記で説明されたシナリオでは、フルＭＣＧ設定が行われ得る。ＬＴＥフル再設定説明がここで再使用されるべきである場合、すべてのベアラ（ＭＣＧおよび／またはＳＣＧ）が、終端され、したがって、解放され得る。いくつかの実施形態は、すべてのベアラが、それらのベアラをｄｒｂ−ＴｏＡｄｄＭｏｄリスト中に含めることによって、同じ再設定メッセージ中に追加され得ることを与える。ＳＣＧ設定を保存し、ＳＣＧに対してデルタ設定を実施することを希望する場合、ＲＲＣ接続再設定プロシージャのかなりの変更が実施され得る。したがって、ターゲットｅＮＢが設定のＭＣＧパートを理解することが可能でない場合にＭＣＧとＳＣＧの両方について適用されるべきフル設定を実施することを含む実施形態が、使用され得る。
【００４４】
いくつかの実施形態は、ＥＮ−ＤＣにおいて、ＨＯプロシージャ中に、ターゲットｅＮＢがＭＣＧ設定を理解しない場合、ＭＣＧとＳＣＧの両方のフル設定が適用され得ることを与える。ＳｇＮＢもフル設定を適用することを保証するために、ターゲットｅＮＢは、ＳｇＮＢがそうしなければならないことをＳｇＮＢに通知し得る。
【００４５】
いくつかの実施形態は、ＥＮ−ＤＣにおいて、ＨＯプロシージャ中に、ターゲットｅＮＢがＭＣＧ設定を理解しない場合、ターゲットｅＮＢは、追加要求メッセージ中に、ＳｇＮＢにおいてフルＳＣＧ設定が適用されるべきであるという指示を含め得ることを与える。
【００４６】
またさらなる実施形態は、ターゲットｅＮＢが、ＳｇＮＢ追加要求メッセージ中にＳＣＧ−ｃｏｎｆｉｇＩｎｆｏを含めないことを与え得る。そのような実施形態では、ＳｇＮＢは、ＳＣＧのフル再設定を行うことを強制され得る。
【００４７】
様々な実施形態が、無線ネットワークにおいて動作する、ＵＥ、無線デバイス、および様々なネットワークノードに関して、上記で説明された。また、これらの実施形態のネットワーク態様がクラウド環境において展開され得る。次に、これらのネットワークエレメントおよび設定が、以下でより詳細に説明される。
【００４８】
次に、本開示の様々な実施形態による、無線ネットワークの概略ブロック図を示す図４が参照される。
【００４９】
本明細書で説明される主題は、任意の好適な構成要素を使用する任意の適切なタイプのシステムにおいて実装され得るが、本明細書で開示される実施形態は、図４に示されている例示的な無線ネットワークなどの無線ネットワークに関して説明される。簡単のために、図４の無線ネットワークは、ネットワーク４０６、ネットワークノード４６０および４６０ｂ、ならびにＷＤ４１０、４１０ｂ、および４１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード４６０および無線デバイス（ＷＤ）４１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００５０】
無線ネットワークは、任意のタイプの通信、電気通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００５１】
ネットワーク４０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００５２】
ネットワークノード４６０およびＷＤ４１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００５３】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、およびエボルブドノードＢ（ｅＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００５４】
図４では、ネットワークノード４６０は、処理回路要素４７０と、デバイス可読媒体４８０と、インターフェース４９０と、補助機器４８４と、電源４８６と、電力回路要素４８７と、アンテナ４６２とを含む。図４の例示的な無線ネットワーク中に示されているネットワークノード４６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード４６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体４８０は、複数の別個のハードドライブならびに複数のＲＡＭモジュールを備え得る）。
【００５５】
同様に、ネットワークノード４６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード４６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード４６０は、複数の無線アクセス技術（ＲＡＴ）をサポートするように設定され得る。そのような実施形態では、いくつかの構成要素は複製され得（たとえば、異なるＲＡＴのための別個のデバイス可読媒体４８０）、いくつかの構成要素は再使用され得る（たとえば、同じアンテナ４６２がＲＡＴによって共有され得る）。ネットワークノード４６０は、ネットワークノード４６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード４６０内の他の構成要素に統合され得る。
【００５６】
処理回路要素４７０は、ネットワークノードによって提供されるものとして本明細書で説明される、任意の決定動作、計算動作、または同様の動作（たとえば、いくつかの取得動作）を実施するように設定される。処理回路要素４７０によって実施されるこれらの動作は、処理回路要素４７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００５７】
処理回路要素４７０は、単体で、またはデバイス可読媒体４８０などの他のネットワークノード４６０構成要素と併せてのいずれかで、ネットワークノード４６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素４７０は、デバイス可読媒体４８０に記憶された命令、または処理回路要素４７０内のメモリに記憶された命令を実行し得る。そのような機能性は、本明細書で説明される様々な無線特徴、機能、または利益のうちのいずれかを提供することを含み得る。いくつかの実施形態では、処理回路要素４７０は、システムオンチップ（ＳＯＣ）を含み得る。
【００５８】
いくつかの実施形態では、処理回路要素４７０は、無線周波数（ＲＦ）トランシーバ回路要素４７２とベースバンド処理回路要素４７４とのうちの１つまたは複数を含み得る。いくつかの実施形態では、無線周波数（ＲＦ）トランシーバ回路要素４７２とベースバンド処理回路要素４７４とは、別個のチップ（またはチップのセット）、ボード、または無線ユニットおよびデジタルユニットなどのユニット上にあり得る。代替実施形態では、ＲＦトランシーバ回路要素４７２とベースバンド処理回路要素４７４との一部または全部は、同じチップまたはチップのセット、ボード、あるいはユニット上にあり得る。
【００５９】
いくつかの実施形態では、ネットワークノード、基地局、ｅＮＢまたは他のそのようなネットワークデバイスによって提供されるものとして本明細書で説明される機能性の一部または全部は、デバイス可読媒体４８０、または処理回路要素４７０内のメモリに記憶された、命令を実行する処理回路要素４７０によって実施され得る。代替実施形態では、機能性の一部または全部は、ハードワイヤード様式などで、別個のまたは個別のデバイス可読媒体に記憶された命令を実行することなしに、処理回路要素４７０によって提供され得る。それらの実施形態のいずれでも、デバイス可読記憶媒体に記憶された命令を実行するか否かにかかわらず、処理回路要素４７０は、説明される機能性を実施するように設定され得る。そのような機能性によって提供される利益は、処理回路要素４７０単独に、またはネットワークノード４６０の他の構成要素に限定されないが、全体としてネットワークノード４６０によって、ならびに／または概してエンドユーザおよび無線ネットワークによって、享受される。
【００６０】
デバイス可読媒体４８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素４７０によって使用され得る情報、データ、および／または命令を記憶する、任意の他の揮発性または不揮発性、非一時的デバイス可読および／またはコンピュータ実行可能メモリデバイスを備え得る。デバイス可読媒体４８０は、コンピュータプログラム、ソフトウェア、論理、ルール、コード、テーブルなどのうちの１つまたは複数を含むアプリケーション、および／または処理回路要素４７０によって実行されることが可能であり、ネットワークノード４６０によって利用される、他の命令を含む、任意の好適な命令、データまたは情報を記憶し得る。デバイス可読媒体４８０は、処理回路要素４７０によって行われた計算および／またはインターフェース４９０を介して受信されたデータを記憶するために使用され得る。いくつかの実施形態では、処理回路要素４７０およびデバイス可読媒体４８０は、統合されていると見なされ得る。
【００６１】
インターフェース４９０は、ネットワークノード４６０、ネットワーク４０６、および／またはＷＤ４１０の間のシグナリングおよび／またはデータの有線または無線通信において使用される。示されているように、インターフェース４９０は、たとえば有線接続上でネットワーク４０６との間でデータを送るおよび受信するための（１つまたは複数の）ポート／（１つまたは複数の）端末４９４を備える。インターフェース４９０は、アンテナ４６２に結合されるか、またはいくつかの実施形態では、アンテナ４６２の一部であり得る、無線フロントエンド回路要素４９２をも含む。無線フロントエンド回路要素４９２は、フィルタ４９８と増幅器４９６とを備える。無線フロントエンド回路要素４９２は、アンテナ４６２および処理回路要素４７０に接続され得る。無線フロントエンド回路要素は、アンテナ４６２と処理回路要素４７０との間で通信される信号を調節するように設定され得る。無線フロントエンド回路要素４９２は、無線接続を介して他のネットワークノードまたはＷＤに送出されるべきであるデジタルデータを受信し得る。無線フロントエンド回路要素４９２は、デジタルデータを、フィルタ４９８および／または増幅器４９６の組合せを使用して適切なチャネルおよび帯域幅パラメータを有する無線信号に変換し得る。無線信号は、次いで、アンテナ４６２を介して送信され得る。同様に、データを受信するとき、アンテナ４６２は無線信号を集め得、次いで、無線信号は無線フロントエンド回路要素４９２によってデジタルデータに変換される。デジタルデータは、処理回路要素４７０に受け渡され得る。他の実施形態では、インターフェースは、異なる構成要素および／または構成要素の異なる組合せを備え得る。
【００６２】
いくつかの代替実施形態では、ネットワークノード４６０は別個の無線フロントエンド回路要素４９２を含まないことがあり、代わりに、処理回路要素４７０は、無線フロントエンド回路要素を備え得、別個の無線フロントエンド回路要素４９２なしでアンテナ４６２に接続され得る。同様に、いくつかの実施形態では、ＲＦトランシーバ回路要素４７２の全部または一部が、インターフェース４９０の一部と見なされ得る。さらに他の実施形態では、インターフェース４９０は、無線ユニット（図示せず）の一部として、１つまたは複数のポートまたは端末４９４と、無線フロントエンド回路要素４９２と、ＲＦトランシーバ回路要素４７２とを含み得、インターフェース４９０は、デジタルユニット（図示せず）の一部であるベースバンド処理回路要素４７４と通信し得る。
【００６３】
アンテナ４６２は、無線信号を送り、および／または受信するように設定された、１つまたは複数のアンテナまたはアンテナアレイを含み得る。アンテナ４６２は、無線フロントエンド回路要素４９２に結合され得、データおよび／または信号を無線で送信および受信することが可能な任意のタイプのアンテナであり得る。いくつかの実施形態では、アンテナ４６２は、たとえば２ＧＨｚと６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ４６２は、ネットワークノード４６０とは別個であり得、インターフェースまたはポートを通してネットワークノード４６０に接続可能であり得る。
【００６４】
アンテナ４６２、インターフェース４９０、および／または処理回路要素４７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ４６２、インターフェース４９０、および／または処理回路要素４７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００６５】
電力回路要素４８７は、電力管理回路要素を備えるか、または電力管理回路要素に結合され得、本明細書で説明される機能性を実施するための電力を、ネットワークノード４６０の構成要素に供給するように設定される。電力回路要素４８７は、電源４８６から電力を受信し得る。電源４８６および／または電力回路要素４８７は、それぞれの構成要素に好適な形式で（たとえば、各それぞれの構成要素のために必要とされる電圧および電流レベルにおいて）、ネットワークノード４６０の様々な構成要素に電力を提供するように設定され得る。電源４８６は、電力回路要素４８７および／またはネットワークノード４６０中に含まれるか、あるいは電力回路要素４８７および／またはネットワークノード４６０の外部にあるかのいずれかであり得る。たとえば、ネットワークノード４６０は、電気ケーブルなどの入力回路要素またはインターフェースを介して外部電源（たとえば、電気コンセント）に接続可能であり得、それにより、外部電源は電力回路要素４８７に電力を供給する。さらなる例として、電源４８６は、電力回路要素４８７に接続された、または電力回路要素４８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【００６６】
ネットワークノード４６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図４に示されている構成要素以外の追加の構成要素を含み得る。たとえば、ネットワークノード４６０は、ネットワークノード４６０への情報の入力を可能にするための、およびネットワークノード４６０からの情報の出力を可能にするための、ユーザインターフェース機器を含み得る。これは、ユーザが、ネットワークノード４６０のための診断、メンテナンス、修復、および他の管理機能を実施することを可能にし得る。
【００６７】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信のための３ＧＰＰ規格を実装することによって、デバイス間（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシン間（Ｍ２Ｍ）デバイスであり得、Ｍ２Ｍデバイスは、３ＧＰＰコンテキストではマシン型通信（ＭＴＣ）デバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合には、デバイスは無線端末と呼ばれることがある。さらに、上記で説明されたＷＤはモバイルであり得、その場合には、デバイスはモバイルデバイスまたはモバイル端末と呼ばれることもある。
【００６８】
示されているように、無線デバイス４１０は、アンテナ４１１と、インターフェース４１４と、処理回路要素４２０と、デバイス可読媒体４３０と、ユーザインターフェース機器４３２と、補助機器４３４と、電源４３６と、電力回路要素４３７とを含む。ＷＤ４１０は、ＷＤ４１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ４１０内の他の構成要素と同じまたは異なるチップまたはチップのセットに統合され得る。
【００６９】
アンテナ４１１は、無線信号を送り、および／または受信するように設定された、１つまたは複数のアンテナまたはアンテナアレイを含み得、インターフェース４１４に接続される。いくつかの代替実施形態では、アンテナ４１１は、ＷＤ４１０とは別個であり、インターフェースまたはポートを通してＷＤ４１０に接続可能であり得る。アンテナ４１１、インターフェース４１４、および／または処理回路要素４２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ４１１は、インターフェースと見なされ得る。
【００７０】
示されているように、インターフェース４１４は、無線フロントエンド回路要素４１２とアンテナ４１１とを備える。無線フロントエンド回路要素４１２は、１つまたは複数のフィルタ４１８と増幅器４１６とを備える。無線フロントエンド回路要素４１２は、アンテナ４１１および処理回路要素４２０に接続され、アンテナ４１１と処理回路要素４２０との間で通信される信号を調節するように設定される。無線フロントエンド回路要素４１２は、アンテナ４１１に結合されるか、またはアンテナ４１１の一部であり得る。いくつかの実施形態では、ＷＤ４１０は別個の無線フロントエンド回路要素４１２を含まないことがあり、むしろ、処理回路要素４２０は、無線フロントエンド回路要素を備え得、アンテナ４１１に接続され得る。同様に、いくつかの実施形態では、ＲＦトランシーバ回路要素４２２の一部または全部が、インターフェース４１４の一部と見なされ得る。無線フロントエンド回路要素４１２は、無線接続を介して他のネットワークノードまたはＷＤに送出されるべきであるデジタルデータを受信し得る。無線フロントエンド回路要素４１２は、デジタルデータを、フィルタ４１８および／または増幅器４１６の組合せを使用して適切なチャネルおよび帯域幅パラメータを有する無線信号に変換し得る。無線信号は、次いで、アンテナ４１１を介して送信され得る。同様に、データを受信するとき、アンテナ４１１は無線信号を集め得、次いで、無線信号は無線フロントエンド回路要素４１２によってデジタルデータに変換される。デジタルデータは、処理回路要素４２０に受け渡され得る。他の実施形態では、インターフェースは、異なる構成要素および／または構成要素の異なる組合せを備え得る。
【００７１】
処理回路要素４２０は、単体で、またはデバイス可読媒体４３０などの他のＷＤ４１０構成要素と併せてのいずれかで、ＷＤ４１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素４２０は、本明細書で開示される機能性を提供するために、デバイス可読媒体４３０に記憶された命令、または処理回路要素４２０内のメモリに記憶された命令を実行し得る。
【００７２】
示されているように、処理回路要素４２０は、ＲＦトランシーバ回路要素４２２、ベースバンド処理回路要素４２４、およびアプリケーション処理回路要素４２６のうちの１つまたは複数を含む。他の実施形態では、処理回路要素は、異なる構成要素および／または構成要素の異なる組合せを備え得る。いくつかの実施形態では、ＷＤ４１０の処理回路要素４２０は、ＳＯＣを備え得る。いくつかの実施形態では、ＲＦトランシーバ回路要素４２２、ベースバンド処理回路要素４２４、およびアプリケーション処理回路要素４２６は、別個のチップまたはチップのセット上にあり得る。代替実施形態では、ベースバンド処理回路要素４２４およびアプリケーション処理回路要素４２６の一部または全部は１つのチップまたはチップのセットになるように組み合わせられ得、ＲＦトランシーバ回路要素４２２は別個のチップまたはチップのセット上にあり得る。さらに代替の実施形態では、ＲＦトランシーバ回路要素４２２およびベースバンド処理回路要素４２４の一部または全部は同じチップまたはチップのセット上にあり得、アプリケーション処理回路要素４２６は別個のチップまたはチップのセット上にあり得る。また他の代替実施形態では、ＲＦトランシーバ回路要素４２２、ベースバンド処理回路要素４２４、およびアプリケーション処理回路要素４２６の一部または全部は、同じチップまたはチップのセット中で組み合わせられ得る。いくつかの実施形態では、ＲＦトランシーバ回路要素４２２は、インターフェース４１４の一部であり得る。ＲＦトランシーバ回路要素４２２は、処理回路要素４２０のためのＲＦ信号を調節し得る。
【００７３】
いくつかの実施形態では、ＷＤによって実施されるものとして本明細書で説明される機能性の一部または全部は、デバイス可読媒体４３０に記憶された命令を実行する処理回路要素４２０によって提供され得、デバイス可読媒体４３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素４２０によって提供され得る。それらの特定の実施形態のいずれでも、デバイス可読記憶媒体に記憶された命令を実行するか否かにかかわらず、処理回路要素４２０は、説明される機能性を実施するように設定され得る。そのような機能性によって提供される利益は、処理回路要素４２０単独に、またはＷＤ４１０の他の構成要素に限定されないが、全体としてＷＤ４１０によって、ならびに／または概してエンドユーザおよび無線ネットワークによって、享受される。
【００７４】
処理回路要素４２０は、ＷＤによって実施されるものとして本明細書で説明される、任意の決定動作、計算動作、または同様の動作（たとえば、いくつかの取得動作）を実施するように設定され得る。処理回路要素４２０によって実施されるようなこれらの動作は、処理回路要素４２０によって取得された情報を、たとえば、取得された情報を他の情報に変換することによって、処理すること、取得された情報または変換された情報をＷＤ４１０によって記憶された情報と比較すること、ならびに／あるいは、取得された情報または変換された情報に基づいて、および前記処理が決定を行ったことの結果として、１つまたは複数の動作を実施することを含み得る。
【００７５】
デバイス可読媒体４３０は、コンピュータプログラム、ソフトウェア、論理、ルール、コード、テーブルなどのうちの１つまたは複数を含むアプリケーション、および／または処理回路要素４２０によって実行されることが可能な他の命令を記憶するように動作可能であり得る。デバイス可読媒体４３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素４２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素４２０およびデバイス可読媒体４３０は、統合されていると見なされ得る。
【００７６】
ユーザインターフェース機器４３２は、人間のユーザがＷＤ４１０と対話することを可能にする構成要素を提供し得る。そのような対話は、視覚、聴覚、触覚など、多くの形式のものであり得る。ユーザインターフェース機器４３２は、ユーザへの出力を作り出すように、およびユーザがＷＤ４１０への入力を提供することを可能にするように動作可能であり得る。対話のタイプは、ＷＤ４１０にインストールされるユーザインターフェース機器４３２のタイプに応じて変動し得る。たとえば、ＷＤ４１０がスマートフォンである場合、対話はタッチスクリーンを介したものであり得、ＷＤ４１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器４３２は、入力インターフェース、デバイスおよび回路、ならびに、出力インターフェース、デバイスおよび回路を含み得る。ユーザインターフェース機器４３２は、ＷＤ４１０への情報の入力を可能にするように設定され、処理回路要素４２０が入力情報を処理することを可能にするために、処理回路要素４２０に接続される。ユーザインターフェース機器４３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器４３２はまた、ＷＤ４１０からの情報の出力を可能にするように、および処理回路要素４２０がＷＤ４１０からの情報を出力することを可能にするように設定される。ユーザインターフェース機器４３２は、たとえば、スピーカー、ディスプレイ、振動回路要素、ＵＳＢポート、ヘッドフォンインターフェース、または他の出力回路要素を含み得る。ユーザインターフェース機器４３２の１つまたは複数の入力および出力インターフェース、デバイス、および回路を使用して、ＷＤ４１０は、エンドユーザおよび／または無線ネットワークと通信し、エンドユーザおよび／または無線ネットワークが本明細書で説明される機能性から利益を得ることを可能にし得る。
【００７７】
補助機器４３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器４３４の構成要素の包含およびタイプは、実施形態および／またはシナリオに応じて変動し得る。
【００７８】
電源４３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ４１０は、電源４３６から、本明細書で説明または指示される任意の機能性を行うために電源４３６からの電力を必要とする、ＷＤ４１０の様々な部分に電力を配信するための、電力回路要素４３７をさらに備え得る。電力回路要素４３７は、いくつかの実施形態では、電力管理回路要素を備え得る。電力回路要素４３７は、追加または代替として、外部電源から電力を受信するように動作可能であり得、その場合、ＷＤ４１０は、電力ケーブルなどの入力回路要素またはインターフェースを介して（電気コンセントなどの）外部電源に接続可能であり得る。電力回路要素４３７はまた、いくつかの実施形態では、外部電源から電源４３６に電力を配信するように動作可能であり得る。これは、たとえば、電源４３６の充電のためのものであり得る。電力回路要素４３７は、電源４３６からの電力に対して、その電力を、電力が供給されるＷＤ４１０のそれぞれの構成要素に好適であるようにするために、任意のフォーマッティング、変換、または他の修正を実施し得る。
【００７９】
次に、本開示の様々な実施形態による、ユーザ機器の概略ブロック図を示す図５が参照される。
【００８０】
図５は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイスを表し得る。ＵＥはまた、人間のユーザへの販売、または人間のユーザによる動作を意図されないＮＢ−ＩｏＴ  ＵＥを含む、第３世代パートナーシッププロジェクト（３ＧＰＰ）によって識別される任意のＵＥを備え得る。図５に示されているＵＥ５００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図５はＵＥであるが、本明細書で説明される構成要素は、ＷＤに等しく適用可能であり、その逆も同様である。
【００８１】
図５では、ＵＥ５００は、入出力インターフェース５０５、無線周波数（ＲＦ）インターフェース５０９、ネットワーク接続インターフェース５１１、ランダムアクセスメモリ（ＲＡＭ）５１７と読取り専用メモリ（ＲＯＭ）５１９と記憶媒体５２１などとを含むメモリ５１５、通信サブシステム５３１、電源５１３、および／または他の構成要素、あるいはそれらの任意の組合せに動作可能に結合された、処理回路要素５０１を含む。記憶媒体５２１は、オペレーティングシステム５２３と、アプリケーションプログラム５２５と、データ５２７とを含む。他の実施形態では、記憶媒体５２１は、他の同様のタイプの情報を含み得る。いくつかのＵＥは、図５に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【００８２】
図５では、処理回路要素５０１は、コンピュータ命令およびデータを処理するように設定され得る。処理回路要素５０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素５０１は、２つの中央処理ユニット（ＣＰＵ）を含み得る。データは、コンピュータによる使用に好適な形式での情報であり得る。
【００８３】
図示された実施形態では、入出力インターフェース５０５は、入力デバイス、出力デバイス、または入出力デバイスに通信インターフェースを提供するように設定され得る。ＵＥ５００は、入出力インターフェース５０５を介して出力デバイスを使用するように設定され得る。出力デバイスは、入力デバイスと同じタイプのインターフェースポートを使用し得る。たとえば、ＵＥ５００への入力およびＵＥ５００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ５００は、ユーザがＵＥ５００に情報をキャプチャすることを可能にするために、入出力インターフェース５０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【００８４】
図５では、ＲＦインターフェース５０９は、送信機、受信機、およびアンテナなど、ＲＦ構成要素に通信インターフェースを提供するように設定され得る。ネットワーク接続インターフェース５１１は、ネットワーク５４３ａに通信インターフェースを提供するように設定され得る。ネットワーク５４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク５４３ａは、Ｗｉ−Ｆｉネットワークを備え得る。ネットワーク接続インターフェース５１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース５１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、あるいは、代替的に、別個に実装され得る。
【００８５】
ＲＡＭ５１７は、オペレーティングシステム、アプリケーションプログラム、およびデバイスドライバなど、ソフトウェアプログラムの実行中に、データまたはコンピュータ命令の記憶またはキャッシングを提供するために、バス５０２を介して処理回路要素５０１にインターフェースするように設定され得る。ＲＯＭ５１９は、処理回路要素５０１にコンピュータ命令またはデータを提供するように設定され得る。たとえば、ＲＯＭ５１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体５２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体５２１は、オペレーティングシステム５２３と、ウェブブラウザアプリケーション、ウィジェットまたはガジェットエンジン、あるいは別のアプリケーションなどのアプリケーションプログラム５２５と、データファイル５２７とを含むように設定され得る。記憶媒体５２１は、ＵＥ５００による使用のために、多様な様々なオペレーティングシステムまたはオペレーティングシステムの組合せのうちのいずれかを記憶し得る。
【００８６】
記憶媒体５２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体５２１は、ＵＥ５００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体５２１中に有形に具現され得、記憶媒体５２１はデバイス可読媒体を備え得る。
【００８７】
図５では、処理回路要素５０１は、通信サブシステム５３１を使用してネットワーク５４３ｂと通信するように設定され得る。ネットワーク５４３ａとネットワーク５４３ｂとは、同じ１つまたは複数のネットワークまたは異なる１つまたは複数のネットワークであり得る。通信サブシステム５３１は、ネットワーク５４３ｂと通信するために使用される１つまたは複数のトランシーバを含むように設定され得る。たとえば、通信サブシステム５３１は、ＩＥＥＥ８０２．５、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機５３３および／または受信機５３５を含み得る。さらに、各トランシーバの送信機５３３および受信機５３５は、回路構成要素、ソフトウェアまたはファームウェアを共有し得るか、あるいは、代替的に、別個に実装され得る。
【００８８】
示されている実施形態では、通信サブシステム５３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム５３１は、セルラー通信と、Ｗｉ−Ｆｉ通信と、Ｂｌｕｅｔｏｏｔｈ通信と、ＧＰＳ通信とを含み得る。ネットワーク５４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク５４３ｂは、セルラーネットワーク、Ｗｉ−Ｆｉネットワーク、および／またはニアフィールドネットワークであり得る。電源５１３は、ＵＥ５００の構成要素に交流（ＡＣ）または直流（ＤＣ）電力を提供するように設定され得る。
【００８９】
本明細書で説明される特徴、利益および／または機能は、ＵＥ５００の構成要素のうちの１つにおいて実装されるか、またはＵＥ５００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム５３１は、本明細書で説明される構成要素のうちのいずれかを含むように設定され得る。さらに、処理回路要素５０１は、バス５０２上でそのような構成要素のうちのいずれかと通信するように設定され得る。別の例では、そのような構成要素のうちのいずれかは、処理回路要素５０１によって実行されたとき、本明細書で説明される対応する機能を実施する、メモリに記憶されたプログラム命令によって表され得る。別の例では、そのような構成要素のうちのいずれかの機能性は、処理回路要素５０１と通信サブシステム５３１との間で分割され得る。別の例では、そのような構成要素のうちのいずれかの非計算集約的機能が、ソフトウェアまたはファームウェアで実装され得、計算集約的機能がハードウェアで実装され得る。
【００９０】
次に、本開示の様々な実施形態によって実装される機能が仮想化され得る、仮想化環境を示す概略ブロック図である図６が参照される。
【００９１】
本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【００９２】
いくつかの実施形態では、本明細書で説明される機能の一部または全部は、ハードウェアノード６３０のうちの１つまたは複数によってホストされる１つまたは複数の仮想環境６００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【００９３】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション６２０によって実装され得る。アプリケーション６２０は、処理回路要素６６０とメモリ６９０−１とを備えるハードウェア６３０を提供する、仮想化環境６００において稼働される。メモリ６９０−１は、処理回路要素６６０によって実行可能な命令６９５を含んでおり、それにより、アプリケーション６２０は、本明細書で開示される特徴、利益、および／または機能のうちの１つまたは複数を提供するように動作可能である。
【００９４】
仮想化環境６００は、１つまたは複数のプロセッサのセットまたは処理回路要素６６０を備える、汎用または専用のネットワークハードウェアデバイス６３０を備え、１つまたは複数のプロセッサのセットまたは処理回路要素６６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ６９０−１を備え得、メモリ６９０−１は、処理回路要素６６０によって実行される命令６９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）６７０を備え得、ネットワークインターフェースコントローラ（ＮＩＣ）６７０は物理ネットワークインターフェース６８０を含む。各ハードウェアデバイスは、処理回路要素６６０によって実行可能なソフトウェア６９５および／または命令を記憶した、非一時的、永続的、機械可読記憶媒体６９０−２をも含み得る。ソフトウェア６９５は、１つまたは複数の（ハイパーバイザとも呼ばれる）仮想化レイヤ６５０をインスタンス化するためのソフトウェア、仮想マシン６４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【００９５】
仮想マシン６４０は、仮想処理、仮想メモリ、仮想ネットワーキングまたはインターフェース、および仮想記憶域を備え、対応する仮想化レイヤ６５０またはハイパーバイザによって稼働され得る。仮想アプライアンス６２０の事例の異なる実施形態が、仮想マシン６４０のうちの１つまたは複数上で実装され得、実装は異なるやり方で行われ得る。
【００９６】
動作中に、処理回路要素６６０は、ソフトウェア６９５を実行してハイパーバイザまたは仮想化レイヤ６５０をインスタンス化し、ハイパーバイザまたは仮想化レイヤ６５０は、時々、仮想マシンモニタ（ＶＭＭ）と呼ばれることがある。仮想化レイヤ６５０は、仮想マシン６４０に、ネットワーキングハードウェアのように見える仮想動作プラットフォームを提示し得る。
【００９７】
図６に示されているように、ハードウェア６３０は、一般的なまたは特定の構成要素をもつスタンドアロンネットワークノードであり得る。ハードウェア６３０は、アンテナ６２２５を備え得、仮想化を介していくつかの機能を実装し得る。代替的に、ハードウェア６３０は、多くのハードウェアノードが協働し、特に、アプリケーション６２０のライフサイクル管理を監督する、管理およびオーケストレーション（ＭＡＮＯ）６１００を介して管理される、（たとえば、データセンターまたは顧客構内機器（ＣＰＥ）の場合のような）ハードウェアのより大きいクラスタの一部であり得る。
【００９８】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【００９９】
ＮＦＶのコンテキストでは、仮想マシン６４０は、プログラムを、それらのプログラムが、物理的な仮想化されていないマシン上で実行しているかのように稼働する、物理マシンのソフトウェア実装形態であり得る。仮想マシン６４０の各々と、その仮想マシンに専用のハードウェアであろうと、および／またはその仮想マシンによって仮想マシン６４０のうちの他の仮想マシンと共有されるハードウェアであろうと、その仮想マシンを実行するハードウェア６３０のその一部とは、別個の仮想ネットワークエレメント（ＶＮＥ）を形成する。
【０１００】
さらにＮＦＶのコンテキストにおいて、仮想ネットワーク機能（ＶＮＦ）は、ハードウェアネットワーキングインフラストラクチャ６３０の上の１つまたは複数の仮想マシン６４０において稼働する特定のネットワーク機能をハンドリングすることを担当し、図６中のアプリケーション６２０に対応する。
【０１０１】
いくつかの実施形態では、各々、１つまたは複数の送信機６２２０と１つまたは複数の受信機６２１０とを含む、１つまたは複数の無線ユニット６２００は、１つまたは複数のアンテナ６２２５に結合され得る。無線ユニット６２００は、１つまたは複数の適切なネットワークインターフェースを介してハードウェアノード６３０と直接通信し得、無線アクセスノードまたは基地局など、無線能力をもつ仮想ノードを提供するために仮想構成要素と組み合わせて使用され得る。
【０１０２】
いくつかの実施形態では、何らかのシグナリングが、ハードウェアノード６３０と無線ユニット６２００との間の通信のために代替的に使用され得る制御システム６２３０を使用して、実現され得る。
【０１０３】
次に、本開示の様々な実施形態による、中間ネットワークを介してホストコンピュータに接続された電気通信ネットワークを示す概略ブロック図である図７が参照される。いくつかの実施形態によれば、通信システムが、無線アクセスネットワークなどのアクセスネットワーク７１１とコアネットワーク７１４とを備える、３ＧＰＰタイプセルラーネットワークなどの電気通信ネットワーク７１０を含む。アクセスネットワーク７１１は、ＮＢ、ｅＮＢ、ｇＮＢまたは他のタイプの無線アクセスポイントなど、複数の基地局７１２ａ、７１２ｂ、７１２ｃを備え、各々が、対応するカバレッジエリア７１３ａ、７１３ｂ、７１３ｃを規定する。各基地局７１２ａ、７１２ｂ、７１２ｃは、有線接続または無線接続７１５上でコアネットワーク７１４に接続可能である。カバレッジエリア７１３ｃ中に位置する第１のＵＥ７９１が、対応する基地局７１２ｃに無線で接続するか、または対応する基地局７１２ｃによってページングされるように設定される。カバレッジエリア７１３ａ中の第２のＵＥ７９２が、対応する基地局７１２ａに無線で接続可能である。この例では複数のＵＥ７９１、７９２が示されているが、開示される実施形態は、唯一のＵＥがカバレッジエリア中にある状況、または唯一のＵＥが対応する基地局７１２に接続している状況に等しく適用可能である。
【０１０４】
電気通信ネットワーク７１０は、それ自体、ホストコンピュータ７３０に接続され、ホストコンピュータ７３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ７３０は、サービスプロバイダの所有または制御下にあり得、あるいはサービスプロバイダによってまたはサービスプロバイダに代わって動作され得る。電気通信ネットワーク７１０とホストコンピュータ７３０との間の接続７２１および７２２は、コアネットワーク７１４からホストコンピュータ７３０に直接延び得るか、または随意の中間ネットワーク７２０を介して進み得る。中間ネットワーク７２０は、パブリックネットワーク、プライベートネットワーク、またはホストされたネットワークのうちの１つ、またはそれらのうちの２つ以上の組合せであり得、中間ネットワーク７２０は、もしあれば、バックボーンネットワークまたはインターネットであり得、特に、中間ネットワーク７２０は、２つまたはそれ以上のサブネットワーク（図示せず）を備え得る。
【０１０５】
図７の通信システムは全体として、接続されたＵＥ７９１、７９２とホストコンピュータ７３０との間のコネクティビティを可能にする。コネクティビティは、オーバーザトップ（ＯＴＴ）接続７５０として説明され得る。ホストコンピュータ７３０および接続されたＵＥ７９１、７９２は、アクセスネットワーク７１１、コアネットワーク７１４、任意の中間ネットワーク７２０、および考えられるさらなるインフラストラクチャ（図示せず）を媒介として使用して、ＯＴＴ接続７５０を介して、データおよび／またはシグナリングを通信するように設定される。ＯＴＴ接続７５０は、ＯＴＴ接続７５０が通過する、参加する通信デバイスが、アップリンクおよびダウンリンク通信のルーティングに気づいていないという意味で、透過的であり得る。たとえば、基地局７１２は、接続されたＵＥ７９１にフォワーディング（たとえば、ハンドオーバ）されるべき、ホストコンピュータ７３０から発信したデータを伴う着信ダウンリンク通信の過去のルーティングについて、通知されないことがあるかまたは通知される必要がない。同様に、基地局７１２は、ＵＥ７９１から発生してホストコンピュータ７３０に向かう発信アップリンク通信の将来ルーティングに気づいている必要がない。
【０１０６】
次に、本開示の様々な実施形態による、部分的無線接続上で基地局を介してユーザ機器と通信するホストコンピュータを示す概略ブロック図である図８が参照される。
【０１０７】
次に、一実施形態による、前の段落において説明されたＵＥ、基地局およびホストコンピュータの例示的な実装形態が、図８を参照しながら説明される。通信システム８００では、ホストコンピュータ８１０が、通信システム８００の異なる通信デバイスのインターフェースとの有線接続または無線接続をセットアップおよび維持するように設定された通信インターフェース８１６を含む、ハードウェア８１５を備える。ホストコンピュータ８１０は、記憶能力および／または処理能力を有し得る、処理回路要素８１８をさらに備える。特に、処理回路要素８１８は、１つまたは複数のプログラマブルプロセッサ、特定用途向け集積回路、フィールドプログラマブルゲートアレイ、または、命令を実行するように適合されたこれらの組合せ（図示せず）を備え得る。ホストコンピュータ８１０は、ホストコンピュータ８１０に記憶されるかまたはホストコンピュータ８１０によってアクセス可能であり、処理回路要素８１８によって実行可能である、ソフトウェア８１１をさらに備える。ソフトウェア８１１は、ホストアプリケーション８１２を含む。ホストアプリケーション８１２は、ＵＥ８３０およびホストコンピュータ８１０において終端するＯＴＴ接続８５０を介して接続するＵＥ８３０など、リモートユーザにサービスを提供するように動作可能であり得る。リモートユーザにサービスを提供する際に、ホストアプリケーション８１２は、ＯＴＴ接続８５０を使用して送信されるユーザデータを提供し得る。
【０１０８】
通信システム８００は、電気通信システム中に提供される基地局８２０をさらに含み、基地局８２０は、基地局８２０がホストコンピュータ８１０およびＵＥ８３０と通信することを可能にするハードウェア８２５を備える。ハードウェア８２５は、通信システム８００の異なる通信デバイスのインターフェースとの有線接続または無線接続をセットアップおよび維持するための通信インターフェース８２６、ならびに基地局８２０によってサーブされるカバレッジエリア（図８に図示せず）中に位置するＵＥ８３０との少なくとも無線接続８７０をセットアップおよび維持するための無線インターフェース８２７を含み得る。通信インターフェース８２６は、ホストコンピュータ８１０への接続８６０を容易にするように設定され得る。接続８６０は直接であり得るか、あるいは、接続８６０は、電気通信システムのコアネットワーク（図８に図示せず）を、および／または電気通信システムの外部の１つまたは複数の中間ネットワークを通過し得る。図示の実施形態では、基地局８２０のハードウェア８２５は、処理回路要素８２８をさらに含み、処理回路要素８２８は、１つまたは複数のプログラマブルプロセッサ、特定用途向け集積回路、フィールドプログラマブルゲートアレイ、または、命令を実行するように適合されたこれらの組合せ（図示せず）を備え得る。基地局８２０は、内部的に記憶されるかまたは外部接続を介してアクセス可能なソフトウェア８２１をさらに有する。
【０１０９】
通信システム８００は、すでに言及されたＵＥ８３０をさらに含む。ＵＥ８３０のハードウェア８３５は、ＵＥ８３０が現在位置するカバレッジエリアをサーブする基地局との無線接続８７０をセットアップおよび維持するように設定された、無線インターフェース８３７を含み得る。ＵＥ８３０のハードウェア８３５は、処理回路要素８３８をさらに含み、処理回路要素８３８は、１つまたは複数のプログラマブルプロセッサ、特定用途向け集積回路、フィールドプログラマブルゲートアレイ、または、命令を実行するように適合されたこれらの組合せ（図示せず）を備え得る。ＵＥ８３０は、ＵＥ８３０に記憶されるかまたはＵＥ８３０によってアクセス可能であり、処理回路要素８３８によって実行可能である、ソフトウェア８３１をさらに備える。ソフトウェア８３１は、クライアントアプリケーション８３２を含む。クライアントアプリケーション８３２は、ホストコンピュータ８１０のサポートのもとに、ＵＥ８３０を介して人間のまたは人間でないユーザにサービスを提供するように動作可能であり得る。ホストコンピュータ８１０では、実行しているホストアプリケーション８１２は、ＵＥ８３０およびホストコンピュータ８１０において終端するＯＴＴ接続８５０を介して、実行しているクライアントアプリケーション８３２と通信し得る。ユーザにサービスを提供する際に、クライアントアプリケーション８３２は、ホストアプリケーション８１２から要求データを受信し、要求データに応答してユーザデータを提供し得る。ＯＴＴ接続８５０は、要求データとユーザデータの両方を転送し得る。クライアントアプリケーション８３２は、クライアントアプリケーション８３２が提供するユーザデータを生成するためにユーザと対話し得る。
【０１１０】
図８に示されているホストコンピュータ８１０、基地局８２０およびＵＥ８３０は、それぞれ、図７のホストコンピュータ７３０、基地局７１２ａ、７１２ｂ、７１２ｃのうちの１つ、およびＵＥ７９１、７９２のうちの１つと同様または同等であり得ることに留意されたい。つまり、これらのエンティティの内部の働きは、図８に示されているようなものであり得、別個に、周囲のネットワークトポロジーは、図７のものであり得る。
【０１１１】
図８では、ＯＴＴ接続８５０は、仲介デバイスとこれらのデバイスを介したメッセージの正確なルーティングとへの明示的言及なしに、基地局８２０を介したホストコンピュータ８１０とＵＥ８３０との間の通信を示すために抽象的に描かれている。ネットワークインフラストラクチャが、ルーティングを決定し得、ネットワークインフラストラクチャは、ＵＥ８３０からまたはホストコンピュータ８１０を動作させるサービスプロバイダから、またはその両方からルーティングを隠すように設定され得る。ＯＴＴ接続８５０がアクティブである間、ネットワークインフラストラクチャは、さらに、ネットワークインフラストラクチャが（たとえば、ネットワークの負荷分散考慮または再設定に基づいて）ルーティングを動的に変更する判定を行い得る。
【０１１２】
ＵＥ８３０と基地局８２０との間の無線接続８７０は、本開示全体にわたって説明される実施形態の教示に従う。様々な実施形態のうちの１つまたは複数は、無線接続８７０が最後のセグメントを形成するＯＴＴ接続８５０を使用して、ＵＥ８３０に提供されるＯＴＴサービスの性能を改善する。より正確には、これらの実施形態の教示は、データレート、レイテンシ、および電力消費量を改善し、それにより、低減されたネットワークおよび無線負荷および干渉、ならびにデバイスにおけるバッテリー消費量など、利益を提供し得る。
【０１１３】
１つまたは複数の実施形態が改善する、データレート、レイテンシおよび他のファクタを監視する目的での、測定プロシージャが提供され得る。測定結果の変動に応答して、ホストコンピュータ８１０とＵＥ８３０との間のＯＴＴ接続８５０を再設定するための随意のネットワーク機能性がさらにあり得る。測定プロシージャおよび／またはＯＴＴ接続８５０を再設定するためのネットワーク機能性は、ホストコンピュータ８１０のソフトウェア８１１およびハードウェア８１５でまたはＵＥ８３０のソフトウェア８３１およびハードウェア８３５で、またはその両方で実装され得る。実施形態では、ＯＴＴ接続８５０が通過する通信デバイスにおいてまたはそれに関連して、センサー（図示せず）が展開され得、センサーは、上記で例示された監視された量の値を供給すること、またはソフトウェア８１１、８３１が監視された量を算出または推定し得る他の物理量の値を供給することによって、測定プロシージャに参加し得る。ＯＴＴ接続８５０の再設定は、メッセージフォーマット、再送信セッティング、好ましいルーティングなどを含み得、再設定は、基地局８２０に影響を及ぼす必要がなく、再設定は、基地局８２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ８１０の測定を容易にするプロプライエタリＵＥシグナリングを伴い得る。測定は、ソフトウェア８１１および８３１が、ソフトウェア８１１および８３１が伝搬時間、エラーなどを監視する間にＯＴＴ接続８５０を使用して、メッセージ、特に空のまたは「ダミー」メッセージが送信されることを引き起こすことにおいて、実装され得る。
【０１１４】
次に、本開示の様々な実施形態による、通信システムにおいて実装される方法を示すフローチャートである図９が参照される。
【０１１５】
通信システムは、図７および図８を参照しながら説明されたものであり得る、ホストコンピュータと基地局とＵＥとを含む。本開示の簡単のために、図９への図面参照のみがこのセクションに含まれる。ステップ９１０において、ホストコンピュータはユーザデータを提供する。ステップ９１０の（随意であり得る）サブステップ９１１において、ホストコンピュータは、ホストアプリケーションを実行することによって、ユーザデータを提供する。ステップ９２０において、ホストコンピュータは、ＵＥにユーザデータを搬送する送信を始動する。（随意であり得る）ステップ９３０において、基地局は、本開示全体にわたって説明される実施形態の教示に従って、ホストコンピュータが始動した送信において搬送されたユーザデータをＵＥに送信する。（また、随意であり得る）ステップ９４０において、ＵＥは、ホストコンピュータによって実行されるホストアプリケーションに関連付けられたクライアントアプリケーションを実行する。
【０１１６】
次に、本開示の様々な実施形態による、通信システムにおいて実装される方法を示すフローチャートである図１０が参照される。通信システムは、図７および図８を参照しながら説明されたものであり得る、ホストコンピュータと基地局とＵＥとを含む。本開示の簡単のために、図１０への図面参照のみがこのセクションに含まれる。本方法のステップ１０１０において、ホストコンピュータはユーザデータを提供する。随意のサブステップ（図示せず）において、ホストコンピュータは、ホストアプリケーションを実行することによって、ユーザデータを提供する。ステップ１０２０において、ホストコンピュータは、ＵＥにユーザデータを搬送する送信を始動する。送信は、本開示全体にわたって説明される実施形態の教示に従って、基地局を介して進み得る。（随意であり得る）ステップ１０３０において、ＵＥは、送信において搬送されたユーザデータを受信する。
【０１１７】
次に、本開示の様々な実施形態による、通信システムにおいて実装される方法を示すフローチャートである図１１が参照される。
【０１１８】
通信システムは、図７および図８を参照しながら説明されたものであり得る、ホストコンピュータと基地局とＵＥとを含む。本開示の簡単のために、図１１への図面参照のみがこのセクションに含まれる。（随意であり得る）ステップ１１１０において、ＵＥは、ホストコンピュータによって提供された入力データを受信する。追加または代替として、ステップ１１２０において、ＵＥはユーザデータを提供する。ステップ１１２０の（随意であり得る）サブステップ１１２１において、ＵＥは、クライアントアプリケーションを実行することによって、ユーザデータを提供する。ステップ１１１０の（随意であり得る）サブステップ１１１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１１３０において、ホストコンピュータへのユーザデータの送信を始動する。本方法のステップ１１４０において、ホストコンピュータは、本開示全体にわたって説明される実施形態の教示に従って、ＵＥから送信されたユーザデータを受信する。
【０１１９】
次に、本開示の様々な実施形態による、通信システムにおいて実装される方法を示すフローチャートである図１２が参照される。
【０１２０】
通信システムは、図７および図８を参照しながら説明されたものであり得る、ホストコンピュータと基地局とＵＥとを含む。本開示の簡単のために、図１２への図面参照のみがこのセクションに含まれる。（随意であり得る）ステップ１２１０において、本開示全体にわたって説明される実施形態の教示に従って、基地局は、ＵＥからユーザデータを受信する。（随意であり得る）ステップ１２２０において、基地局は、ホストコンピュータへの、受信されたユーザデータの送信を始動する。（随意であり得る）ステップ１２３０において、ホストコンピュータは、基地局によって始動された送信において搬送されたユーザデータを受信する。
【０１２１】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得るメモリに記憶されたプログラムコードを実行するように設定され得る。メモリに記憶されたプログラムコードは、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１２２】
次に、本明細書で説明される通信システムにおいて使用され、本開示の様々な実施形態に従って動作するように設定され得る、ユーザ機器１３００のブロック図を示す図１３が参照される。（無線端末、無線通信デバイス、無線通信端末、ユーザ機器、ユーザ機器ノード／端末／デバイスなどとも呼ばれる）ＵＥ１３００は、本明細書で開示される実施形態に従って動作するように設定され得る。図示のように、ＵＥ１３００は、アンテナ１３０７と、無線アクセスネットワークの基地局とのアップリンク無線通信およびダウンリンク無線通信を提供するように設定された送信機および受信機を含む（トランシーバとも呼ばれる）トランシーバ回路１３０１とを含み得る。ＵＥ１３００は、（トランシーバとも呼ばれる）少なくとも１つのトランシーバ回路１３０１に結合された（プロセッサとも呼ばれる）少なくとも１つのプロセッサ回路１３０３と、プロセッサ回路に結合された（メモリとも呼ばれる）少なくとも１つのメモリ回路１３０５とをも含み得る。メモリ１３０５は、プロセッサ１３０３によって実行されたとき、プロセッサ１３０３に、ＵＥについて本明細書で開示される実施形態による動作を実施させる、コンピュータ可読プログラムコードを含み得る。他の実施形態によれば、プロセッサ１３０３は、別個のメモリ回路が必要とされないようなメモリを含むように規定され得る。ＵＥ１３００は、プロセッサ１３０３に結合された（ユーザインターフェースなどの）インターフェースをも含み得る。
【０１２３】
本明細書で説明されるように、ＵＥ１３００の動作は、プロセッサ１３０３および／またはトランシーバ１３０１によって実施され得る。その上、モジュールがメモリ１３０５に記憶され得、これらのモジュールは、モジュールの命令がプロセッサ１３０３によって実行されたとき、プロセッサ１３０３が、本明細書の１つまたは複数の実施形態によるそれぞれの動作を実施するように、命令を提供し得る。
【０１２４】
次に、様々な実施形態による、本明細書で開示されるような動作を実施する、ネットワークノード中に常駐するモジュールを示す図１４が参照される。ネットワークノード１４００は、本明細書で開示される１つまたは複数の実施形態に従って動作するように設定されたＭＮ、ＳＮ、ＵＰＦ、およびＡＭＦのうちのいずれか１つまたは複数に対応し得るエレメントを含む。図示のように、ネットワークノード１４００は、ＵＥとのアップリンク無線通信およびダウンリンク無線通信を提供するように設定された送信機および受信機を含む（トランシーバとも呼ばれる）少なくとも１つのトランシーバ回路１４０１を含み得る。ネットワークノード１４００は、他のネットワークノードとの通信を提供するように設定された（ネットワークインターフェースとも呼ばれる）少なくとも１つのネットワークインターフェース回路１４０７を含み得る。ネットワークノード１４００は、トランシーバ１４０１に結合された（プロセッサとも呼ばれる）少なくとも１つのプロセッサ回路１４０３と、プロセッサ１４０３に結合された（メモリとも呼ばれる）少なくとも１つのメモリ回路１４０５とをも含み得る。メモリ１４０５は、プロセッサ１４０３によって実行されたとき、プロセッサ１４０３に、ネットワークノードについて本明細書で開示される実施形態による動作を実施させる、コンピュータ可読プログラムコードを含み得る。他の実施形態によれば、プロセッサ１４０３は、別個のメモリ回路が必要とされないようなメモリを含むように規定され得る。
【０１２５】
本明細書で説明されるように、ネットワークノード１４００の動作は、プロセッサ１４０３、ネットワークインターフェース１４０７、および／またはトランシーバ１４０１によって実施され得る。たとえば、プロセッサ１４０３は、１つまたは複数のＵＥに無線インターフェース上でトランシーバ１４０１を通して通信を送信し、および／または１つまたは複数のＵＥから無線インターフェース上でトランシーバ１４０１を通して通信を受信するように、トランシーバ１４０１を制御し得る。同様に、プロセッサ１４０３は、１つまたは複数の他のネットワークノードにネットワークインターフェース１４０７を通して通信を送り、および／または１つまたは複数の他のネットワークノードからネットワークインターフェース１４０７を通して通信を受信するように、ネットワークインターフェース１４０７を制御し得る。その上、モジュールがメモリ１４０５に記憶され得、これらのモジュールは、モジュールの命令がプロセッサ１４０３によって実行されたとき、プロセッサ１４０３がそれぞれの動作（たとえば、ネットワークノードの例示的な実施形態に関して以下で説明される動作）を実施するように、命令を提供し得る。
【０１２６】
いくつかの実施形態では、本明細書で説明される動作の一部または全部は、ネットワークノードのうちの１つまたは複数によってホストされる１つまたは複数の仮想環境において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１２７】
動作は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーションによって実装され得る。アプリケーションは、処理回路要素とメモリとを備えるハードウェアを提供する、仮想化環境において稼働される。メモリは、処理回路要素によって実行可能な命令を含んでおり、それにより、アプリケーションは、本明細書で開示される特徴、利益、および／または機能のうちの１つまたは複数を提供するように動作可能である。
【０１２８】
次に、本開示の様々な実施形態による、新しい無線電気通信システムにおいてユーザ機器のハンドオーバにおけるデュアルコネクティビティを提供するために通信システムにおいて実装される方法を示すフローチャートである図１５が参照される。動作は、ネットワークノードから、およびターゲット２次ノードに、ハンドオーバにおけるＵＥのためのリソースを割り当てるために追加要求メッセージを送ること（ブロック１５００）を含む。いくつかの実施形態では、ネットワークノードはロング・ターム・エボリューション（ｌｏｎｇ−ｔｅｒｍ  ｅｖｏｌｕｔｉｏｎ）ノードであり、ターゲット２次ノードは新しい無線２次ノードである。
【０１２９】
動作は、ターゲット２次ノードから、コンテキスト指示を含む追加要求確認応答メッセージを受信すること（ブロック１５０２）を含み得る。いくつかの実施形態は、コンテキスト指示が、フル無線リソース制御（ＲＲＣ）コンテキストまたはデルタＲＲＣコンテキストを指示することを与える。いくつかの実施形態では、デルタＲＲＣコンテキストは、現在のＵＥコンテキストにおけるデータに対して更新されたデータを含む。いくつかの実施形態は、ネットワークノードに対応するマスタセルグループ（ＭＣＧ）と、ソース２次ノードに対応する２次セルグループ（ＳＣＧ）とのための、フルＲＲＣデータおよびデルタＲＲＣデータを提供する。
【０１３０】
いくつかの実施形態は、コンテキスト指示が、追加要求確認応答メッセージ中に含まれ得るフラグ値を含むことを与える。たとえば、フラグ値は、ターゲットメインノードおよびターゲット２次ノードのいずれか一方または両方が、フルＲＲＣコンテキストとして更新されたＵＥコンテキストを有し得ることを指示し得る。
【０１３１】
いくつかの実施形態では、ＲＲＣコンテキストのタイプが、コンテキスト指示に基づいて決定され得る（ブロック１５０４）。いくつかの実施形態では、追加要求メッセージは追加トリガ指示を含む。そのような実施形態では、追加要求確認応答メッセージは、フル設定を適用すべきなのか、デルタ設定を適用すべきなのかを、ターゲット２次ノードであるネットワークノードに通知するＲＲＣ設定指示を含み得る。
【０１３２】
いくつかの実施形態では、受信されたコンテキスト指示に基づいて、動作は、ネットワークノードからＵＥに、コンテキスト指示を含むメッセージを送ること（１５０４）を含む。コンテキスト指示がフルＲＲＣコンテキストを含むことに応答して、ＵＥに送られたメッセージは、前のＥＮ−ＤＣ設定を解放し、ＵＥにフルＲＲＣコンテキストを追加するための、フラグを含む。コンテキスト指示がデルタＲＲＣコンテキストを含むことに応答して、フラグを含むメッセージはＵＥに送られない。
【０１３３】
いくつかの実施形態では、ＵＥコンテキストはマスタセルグループ（ＭＣＧ）設定部分と２次セルグループ（ＳＣＧ）設定部分とを含む。マスタターゲットノードがＭＣＧ設定部分を処理することが可能であり、２次ターゲットノードがＳＣＧ設定部分を処理することが可能である場合、ネットワークノードは、ＭＣＧ設定部分に対応するフルＲＲＣコンテキストをターゲットマスタノードに解放し、ＳＣＧ設定部分に対応するフルＲＲＣコンテキストを２次ターゲットノードに解放する。
【０１３４】
いくつかの実施形態では、マスタターゲットノードがＭＣＧ設定部分を処理することが可能であり、２次ターゲットノードがＳＣＧ設定部分を処理することが可能でない場合、ネットワークノードは、ＭＣＧ設定部分に対応するデルタＲＲＣコンテキストをターゲットマスタノードに解放し、ＳＣＧ設定部分に対応するフルＲＲＣコンテキストを２次ターゲットノードに解放する。
【０１３５】
いくつかの実施形態は、マスタターゲットノードがＭＣＧ設定部分を処理することが可能でない場合、ネットワークノードが、ＭＣＧ設定部分に対応するフルＲＲＣコンテキストをターゲットマスタノードに解放し、ＳＣＧ設定部分に対応するフルＲＲＣコンテキストを２次ターゲットノードに解放することを与える。
【０１３６】
次に、本開示の様々な実施形態によるデータフロー図である図１６が参照される。示されているように、ＭＮ１６０４は、ＳｇＮＢ追加プロシージャを使用して、ターゲットＴ−ＳＮ１６０８にＵＥ１６０２のためのリソースを割り当てるように要求することによって、ソースＳ−ＳＮ１６０６からのＳＮ変更を始動する。ＭＮ１６０４は、Ｔ−ＳＮ１６０８に関係する測定結果を含め得る。フォワーディングが必要とされる場合、Ｔ−ＳＮ１６０８はＭＮ１６０４にフォワーディングアドレスを提供し得る。いくつかの実施形態では、Ｔ−ＳＮ１６０８は、フルＲＲＣコンテキストが必要とされるのか、デルタＲＲＣコンテキストが必要とされるのかに関する指示を含め得る。いくつかの実施形態では、ＭＮ１６０４は、現在の設定を要求するために、Ｓ−ＳＮ１６０６にＳｇＮＢ修正要求メッセージを送り得る。
【０１３７】
Ｔ−ＳＮ１６０８の割り当てが成功した場合、ＭＮ１６０４は、Ｓ−ＳＮ１６０６リソースの解放を始動し得る。Ｓ−ＳＮ１６０６は解放を拒否し得る。データフォワーディングが必要とされる場合、ＭＮ１６０４はＳ−ＳＮ１６０６にデータフォワーディングアドレスを提供し得る。ＳｇＮＢ解放要求メッセージの受信は、ＵＥ１６０２にユーザデータを提供することを停止するようにＳ−ＳＮ１６０６をトリガする。
【０１３８】
ＭＮ１６０４は、新しい設定を適用するようにＵＥ１６０２をトリガする。ＵＥ１６０２は、新しい設定を適用し、ＲＲＣ接続再設定完了メッセージを送る。図１６に記載されている残りの動作は、本明細書で説明される方法に直接適用可能ではなく、したがって、それらの残りの動作の説明は省略される。
【０１３９】
以下の略語のうちの少なくともいくつかが本開示で使用され得る。略語間で不一致がある場合、その略語が上記でどのように使用されたかが優先されるべきである。以下で複数回リストされる場合、第１のリスティングが（１つまたは複数の）後続のリスティングよりも優先されるべきである。
１Ｘ  ＲＴＴ  ＣＤＭＡ２０００  １ｘ無線送信技術
３ＧＰＰ  第３世代パートナーシッププロジェクト
５Ｇ  第５世代
ＡＢＳ  オールモストブランクサブフレーム
ＡＲＱ  自動再送要求
ＡＷＧＮ  加法性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重化アクセス
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  帯域中の電力密度で除算されたチップごとのＣＰＩＣＨ受信エネルギー
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＭ  復調
ＤＭＲＳ  復調用参照信号
ＤＲＸ  間欠受信
ＤＴＸ  間欠送信
ＤＴＣＨ  専用トラフィックチャネル
ＤＵＴ  被試験デバイス
Ｅ−ＣＩＤ  拡張セルＩＤ（測位方法）
Ｅ−ＳＭＬＣ  エボルブドサービングモバイルロケーションセンター
ＥＣＧＩ  エボルブドＣＧＩ
ｅＮＢ  Ｅ−ＵＴＲＡＮノードＢ
ｅＰＤＣＣＨ  拡張物理ダウンリンク制御チャネル
Ｅ−ＳＭＬＣ  エボルブドサービングモバイルロケーションセンター
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＦＳ  さらなる検討が必要
ＧＥＲＡＮ  ＧＳＭ  ＥＤＧＥ無線アクセスネットワーク
ｇＮＢ  （ＬＴＥにおけるｅＮＢに対応する）ＮＲにおける基地局
ＧＮＳＳ  グローバルナビゲーション衛星システム
ＧＳＭ  モバイル通信用グローバルシステム
ＨＡＲＱ  ハイブリッド自動再送要求
ＨＯ  ハンドオーバ
ＨＳＰＡ  高速パケットアクセス
ＨＲＰＤ  高速パケットデータ
ＬＯＳ  見通し線
ＬＰＰ  ＬＴＥ測位プロトコル
ＬＴＥ  Ｌｏｎｇ−Ｔｅｒｍ  Ｅｖｏｌｕｔｉｏｎ
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＤＴ  ドライブテスト最小化
ＭｅＮＢ  マスタｅＮＢ
ＭＩＢ  マスタ情報ブロック
ＭＭＥ  モビリティ管理エンティティ
ＭＳＣ  モバイルスイッチングセンター
ＮＰＤＣＣＨ  狭帯域物理ダウンリンク制御チャネル
ＮＲ  新しい無線
ＯＣＮＧ  ＯＦＤＭＡチャネル雑音生成器
ＯＦＤＭ  直交周波数分割多重化
ＯＦＤＭＡ  直交周波数分割多元接続
ＯＳＳ  運用サポートシステム
ＯＴＤＯＡ  観測到達時間差
Ｏ＆Ｍ  運用および保守
ＰＢＣＨ  物理ブロードキャストチャネル
Ｐ−ＣＣＰＣＨ  １次共通制御物理チャネル
ＰＣｅｌｌ  １次セル
ＰＣＦＩＣＨ  物理制御フォーマットインジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッド自動再送要求指示チャネル
ＰＬＭＮ  パブリックランドモバイルネットワーク
ＰＭＩ  プリコーダ行列インジケータ
ＰＲＡＣＨ  物理ランダムアクセスチャネル
ＰＲＳ  測位参照信号
ＰＳＳ  １次同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直交振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＴＩ  無線ネットワーク一時識別子
ＲＲＣ  無線リソース制御
ＲＲＭ  無線リソース管理
ＲＳ  参照信号
ＲＳＣＰ  受信信号コード電力
ＲＳＲＰ  参照シンボル受信電力または
参照信号受信電力
ＲＳＲＱ  参照信号受信品質または
参照シンボル受信品質
ＲＳＳＩ  受信信号強度インジケータ
ＲＳＴＤ  参照信号時間差
ＳＣＨ  同期チャネル
ＳＣｅｌｌ  ２次セル
ＳＤＵ  サービスデータユニット
ＳｅＮＢ  ２次ｅＮＢ
ＳＦＮ  システムフレーム番号
ＳＧＷ  サービングゲートウェイ
ＳＩ  システム情報
ＳＩＢ  システム情報ブロック
ＳＮＲ  信号対雑音比
ＳＯＮ  自己最適化ネットワーク
ＳＳ  同期信号
ＳＳＳ  ２次同期信号
ＴＤＤ  時分割複信
ＴＤＯＡ  到達時間差
ＴＮＬ  トランスポートネットワークレイヤ
ＴＯＡ  到達時間
ＴＳＳ  ３次同期信号
ＴＴＩ  送信時間間隔
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＳＩＭ  汎用加入者識別モジュール
ＵＴＤＯＡ  アップリンク到達時間差
ＵＴＲＡ  ユニバーサル地上無線アクセス
ＵＴＲＡＮ  ユニバーサル地上無線アクセスネットワーク
ＷＣＤＭＡ  ワイドＣＤＭＡ
ＷＬＡＮ  ワイドローカルエリアネットワーク
さらなる規定および実施形態
【０１４０】
本開示の様々な実施形態の上記の説明では、本明細書で使用される専門用語は、具体的な実施形態を説明するためのものにすぎず、本発明を限定するものではないことを理解されたい。別段に規定されていない限り、本明細書で使用される（技術用語および科学用語を含む）すべての用語は、本開示が属する技術の当業者によって通常理解されるものと同じ意味を有する。通常使用される辞書において規定される用語など、用語は、本明細書および関連技術の文脈におけるそれらの用語の意味に従う意味を有するものとして解釈されるべきであり、明確にそのように本明細書で規定されない限り、理想的なまたは過度に形式的な意味において解釈されないことをさらに理解されよう。
【０１４１】
エレメントが、別のエレメントに「接続された」、「結合された」、「応答する」、またはそれらの変形態であると呼ばれるとき、そのエレメントは、他のエレメントに直接、接続され、結合され、または応答し得、あるいは介在するエレメントが存在し得る。対照的に、エレメントが、別のエレメントに「直接接続された」、「直接結合された」、「直接応答する」、またはそれらの変形態であると呼ばれるとき、介在するエレメントが存在しない。同様の番号は、全体を通して同様のエレメントを指す。さらに、本明細書で使用される、「結合された」、「接続された」、「応答する」、またはそれらの変形態は、無線で結合された、無線で接続された、または無線で応答する、を含み得る。本明細書で使用される単数形「ａ」、「ａｎ」および「ｔｈｅ」は、文脈が別段に明確に指示するのでなければ、複数形をも含むものとする。簡潔および／または明快のために、よく知られている機能または構成が詳細に説明されないことがある。また、「および／または」という用語は、関連するリストされた項目のうちの１つまたは複数の任意のまたは全部の組合せを含む。
【０１４２】
本明細書で使用される、「備える、含む（ｃｏｍｐｒｉｓｅ）」、「備える、含む（ｃｏｍｐｒｉｓｉｎｇ）」、「備える、含む（ｃｏｍｐｒｉｓｅｓ）」、「含む（ｉｎｃｌｕｄｅ）」、「含む（ｉｎｃｌｕｄｉｎｇ）」、「含む（ｉｎｃｌｕｄｅｓ）」、「有する（ｈａｖｅ）」、「有する（ｈａｓ）」、「有する（ｈａｖｉｎｇ）」という用語、またはそれらの変形態は、オープンエンドであり、１つまたは複数の述べられた特徴、整数、エレメント、ステップ、構成要素または機能を含むが、１つまたは複数の他の特徴、整数、エレメント、ステップ、構成要素、機能またはそれらのグループの存在または追加を排除しない。さらに、本明細書で使用される、「たとえば（ｅｘｅｍｐｌｉ  ｇｒａｔｉａ）」というラテン語句に由来する「たとえば（ｅ．ｇ．）」という通例の略語は、前述の項目の一般的な１つまたは複数の例を紹介するかまたは具体的に挙げるために使用され得、そのような項目を限定するものではない。「すなわち（ｉｄ  ｅｓｔ）」というラテン語句に由来する「すなわち（ｉ．ｅ．）」という通例の略語は、より一般的な具陳から特定の項目を具体的に挙げるために使用され得る。
【０１４３】
例示的な実施形態が、コンピュータ実装方法、装置（システムおよび／またはデバイス）および／またはコンピュータプログラム製品のブロック図および／またはフローチャート例示を参照しながら本明細書で説明された。ブロック図および／またはフローチャート例示のブロック、ならびにブロック図および／またはフローチャート例示中のブロックの組合せが、１つまたは複数のコンピュータ回路によって実施されるコンピュータプログラム命令によって実装され得ることを理解されたい。これらのコンピュータプログラム命令は、汎用コンピュータ回路、専用コンピュータ回路、および／またはマシンを作り出すための他のプログラマブルデータ処理回路のプロセッサ回路に提供され得、したがって、コンピュータおよび／または他のプログラマブルデータ処理装置のプロセッサを介して実行される命令は、ブロック図および／またはフローチャートの１つまたは複数のブロックにおいて指定された機能／行為を実装するために、およびそれにより、ブロック図および／またはフローチャートの（１つまたは複数の）ブロックにおいて指定された機能／行為を実装するための手段（機能性）および／または構造を作成するために、トランジスタ、メモリロケーションに記憶された値、およびそのような回路要素内の他のハードウェア構成要素を変換および制御する。
【０１４４】
これらのコンピュータプログラム命令はまた、コンピュータまたは他のプログラマブルデータ処理装置に特定の様式で機能するように指示することができる、有形コンピュータ可読媒体に記憶され得、したがって、コンピュータ可読媒体に記憶された命令は、ブロック図および／またはフローチャートの１つまたは複数のブロックにおいて指定された機能／行為を実装する命令を含む製造品を作り出す。
【０１４５】
有形の、非一時的コンピュータ可読媒体は、電子、磁気、光、電磁、または半導体データ記憶システム、装置、またはデバイスを含み得る。コンピュータ可読媒体のより具体的な例は、ポータブルコンピュータディスケット、ランダムアクセスメモリ（ＲＡＭ）回路、読取り専用メモリ（ＲＯＭ）回路、消去可能プログラマブル読取り専用メモリ（ＥＰＲＯＭまたはフラッシュメモリ）回路、ポータブルコンパクトディスク読取り専用メモリ（ＣＤ−ＲＯＭ）、およびポータブルデジタルビデオディスク読取り専用メモリ（ＤＶＤ／ＢｌｕＲａｙ）を含むであろう。
【０１４６】
コンピュータプログラム命令はまた、コンピュータ実装プロセスを作り出すために、一連の動作ステップをコンピュータおよび／または他のプログラマブル装置上で実施させるように、コンピュータおよび／または他のプログラマブルデータ処理装置にロードされ得、その結果、コンピュータまたは他のプログラマブル装置上で実行する命令は、ブロック図および／またはフローチャートの１つまたは複数のブロックにおいて指定された機能／行為を実装するためのステップを提供する。したがって、本開示の実施形態は、ハードウェアで、および／または「回路要素」、「モジュール」またはそれらの変形態と総称されることがある、デジタル信号プロセッサなどのプロセッサ上で稼働する（ファームウェア、常駐ソフトウェア、マイクロコードなどを含む）ソフトウェアで具現され得る。
【０１４７】
また、いくつかの代替実装形態では、ブロック中で言及される機能／行為は、フローチャート中で言及される順序から外れて行われ得ることに留意されたい。たとえば、関与する機能性／行為に応じて、連続して示されている２つのブロックが、事実上、実質的にコンカレントに実行され得るか、またはブロックが、時々、逆の順序で実行され得る。その上、フローチャートおよび／またはブロック図の所与のブロックの機能性が、複数のブロックに分離され得、ならびに／あるいはフローチャートおよび／またはブロック図の２つまたはそれ以上のブロックの機能性が、少なくとも部分的に統合され得る。最後に、示されているブロックの間に他のブロックが追加／挿入され得る。その上、図のうちのいくつかが、通信の主要な方向を示すために通信経路上に矢印を含むが、通信が、図示された矢印と反対方向に行われ得ることを理解されたい。
【０１４８】
多くの異なる実施形態が、上記の説明および図面に関して本明細書で開示された。これらの実施形態のあらゆる組合せおよび部分組合せを文字通り説明および例示することは、過度に繰返しが多く、不明瞭にすることを理解されよう。それに応じて、図面を含む本明細書は、実施形態の様々な例示的な組合せおよび部分組合せと、それらを作り、使用する様式およびプロセスとの完全な説明を構成すると解釈されたく、任意のそのような組合せまたは部分組合せに対する請求をサポートするものとする。
【０１４９】
本発明の原理から実質的に逸脱することなしに、実施形態に対して多くの変形および修正が行われ得る。すべてのそのような変形および修正は、本発明の範囲内で本明細書に含まれるものとする。
【図１】
2021503750.tif 000006
【図２】
2021503750.tif 000007
【図３】
2021503750.tif 000008
【図４】
2021503750.tif 000009
【図５】
2021503750.tif 000010
【図６】
2021503750.tif 000011
【図７】
2021503750.tif 000012
【図８】
2021503750.tif 000013
【図９】
2021503750.tif 000014
【図１０】
2021503750.tif 000015
【図１１】
2021503750.tif 000016
【図１２】
2021503750.tif 000017
【図１３】
2021503750.tif 000018
【図１４】
2021503750.tif 000019
【図１５】
2021503750.tif 000020
【図１６】
2021503750.tif 000021
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
新しい無線電気通信システムにおいて、ユーザ機器（ＵＥ）（１６０２）のハンドオーバにおけるデュアルコネクティビティを提供するようにネットワークノード（１６０４）を動作させる方法であって、前記方法は、
前記ネットワークノード（１６０４）から、およびターゲット２次ノード（１６０８）に、前記ハンドオーバにおける前記ＵＥのためのリソースを割り当てるために追加要求メッセージを送ること（１５００）と、
前記ターゲット２次ノード（１６０８）から追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記ネットワークノードからメッセージを送ること（１５０４）と
を含み、
前記コンテキスト指示がフルＲＲＣコンテキストを含むことに応答して、前記ＵＥに送られた前記メッセージが、前のＥＮ−ＤＣ設定を解放するためのフラグを含み、
前記コンテキスト指示がデルタＲＲＣコンテキストを含むことに応答して、前記ＵＥに送られた前記メッセージが、ＥＮ−ＤＣ設定を解放するための指示を含まない、方法。
【請求項２】
前記フルＲＲＣコンテキストが適用されるべきであることを前記ネットワークノードが指示したことに応答して、ターゲット１次ノードが、前記前のＥＮ−ＤＣ設定を解放するための前記フラグをセットする、請求項１に記載の方法。
【請求項３】
前記フルＲＲＣコンテキストまたは前記デルタＲＲＣコンテキストが、前記ネットワークノードに対応するマスタセルグループ（ＭＣＧ）と、ソース２次ノードに対応する２次セルグループ（ＳＣＧ）とのためのデータを含む、請求項１に記載の方法。
【請求項４】
前記追加要求確認応答メッセージは、前記ターゲット２次ノードが、前記フルＲＲＣコンテキストまたは前記デルタＲＲＣコンテキストを適用したことを前記ネットワークノードに通知するＲＲＣ設定指示を含む、
請求項１に記載の方法。
【請求項５】
前記コンテキスト指示が前記追加要求確認応答メッセージ中のフラグ値を含む、請求項１に記載の方法。
【請求項６】
前記ネットワークノードがロング・ターム・エボリューション（ＬＴＥ）ノードを備え、前記ターゲット２次ノードが新しい無線（ＮＲ）２次ノードを備える、請求項１に記載の方法。
【請求項７】
ＵＥコンテキストがマスタセルグループ（ＭＣＧ）設定部分と２次セルグループ（ＳＣＧ）設定部分とを含み、
マスタターゲットノードが前記ＭＣＧ設定部分を処理することが可能でないことと、前記ターゲット２次ノードが前記ＳＣＧ設定部分を処理することが可能であることとに応答して、前記ネットワークノードが、前記ＭＣＧ設定部分に対応する前記フルＲＲＣコンテキストを前記マスタターゲットノードに解放し、前記ＳＣＧ設定部分に対応する前記フルＲＲＣコンテキストを前記ターゲット２次ノードに解放する、
請求項１に記載の方法。
【請求項８】
ＵＥコンテキストがマスタセルグループ（ＭＣＧ）設定部分と２次セルグループ（ＳＣＧ）設定部分とを含み、
マスタターゲットノードが前記ＭＣＧ設定部分を処理することが可能であることと、前記ターゲット２次ノードが前記ＳＣＧ設定部分を処理することが可能でないこととに応答して、前記ネットワークノードが、前記ＭＣＧ設定部分に対応する前記デルタＲＲＣコンテキストを前記マスタターゲットノードに解放し、前記ＳＣＧ設定部分に対応する前記フルＲＲＣコンテキストを前記ターゲット２次ノードに解放する、
請求項１に記載の方法。
【請求項９】
ＵＥコンテキストがマスタセルグループ（ＭＣＧ）設定部分と２次セルグループ（ＳＣＧ）設定部分とを含み、
マスタターゲットノードが前記ＭＣＧ設定部分を処理することが可能でないことに応答して、前記ネットワークノードが、前記ＭＣＧ設定部分に対応する前記フルＲＲＣコンテキストを前記マスタターゲットノードに解放し、前記ＳＣＧ設定部分に対応する前記フルＲＲＣコンテキストを前記ターゲット２次ノードに解放する、
請求項１に記載の方法。
【請求項１０】
前記ネットワークノードが、前記フルＲＲＣコンテキストまたは前記デルタＲＲＣコンテキストを適用するためにＲＲＣ接続再設定メッセージを前記ＵＥに送る、請求項１に記載の方法。
【請求項１１】
ネットワークノードのプロセッサによって実行されたとき、前記ネットワークノードに、請求項１から１０のいずれか一項に記載の方法の動作を実施させるプログラムコードを記憶する非一時的コンピュータ可読媒体を備える、コンピュータプログラム製品。
【請求項１２】
新しい無線電気通信システムにおいて、ユーザ機器（ＵＥ）（１６０２）のハンドオーバにおけるデュアルコネクティビティを提供するためのネットワークノード（１６０４）であって、前記ネットワークノードは、
前記ネットワークノードから、およびターゲット２次ノード（１６０８）に、前記ハンドオーバにおける前記ＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記ネットワークノードから前記ＵＥに、前記コンテキスト指示を含むメッセージを送ること（１５０４）と
を行うように設定され、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、ネットワークノード（１６０４）。
【請求項１３】
新しい無線電気通信システムにおいて、ユーザ機器（ＵＥ）（１６０２）のハンドオーバにおけるデュアルコネクティビティを提供するようにマスタノード（１６０４）を動作させる方法であって、前記方法は、
前記マスタノードから、およびターゲット２次ノードに、前記ハンドオーバにおける前記ＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記ネットワークノードから前記ＵＥに、前記コンテキスト指示を含むメッセージを送ること（１５０４）と
を含み、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、方法。
【請求項１４】
前記コンテキスト指示が、マスタターゲットノードがＭＣＧ設定部分を処理することが可能であることと、前記ターゲット２次ノードがＵＥコンテキストのＳＣＧ部分を処理することが可能でないこととをシグナリングすることに応答して、前記マスタノードが、前記ＭＣＧ設定部分に対応する前記デルタＲＲＣコンテキストを前記マスタターゲットノードに解放し、前記ＳＣＧ設定部分に対応する前記フルＲＲＣコンテキストを前記ターゲット２次ノードに解放する、請求項１３に記載の方法。
【請求項１５】
前記コンテキスト指示が、マスタターゲットノードが前記ＭＣＧ設定部分を処理することが可能でないことと、前記ターゲット２次ノードが前記ＵＥコンテキストの前記ＳＣＧ設定部分を処理することが可能であることとをシグナリングすることに応答して、前記マスタノードが、前記ＭＣＧ設定部分に対応する前記フルＲＲＣコンテキストを前記マスタターゲットノードに解放し、前記ＳＣＧ設定部分に対応する前記フルＲＲＣコンテキストを前記ターゲット２次ノードに解放する、請求項１３に記載の方法。
【請求項１６】
前記コンテキスト指示が設定データの不在を指示することに応答して、前記マスタノードが、前記ＭＣＧ設定部分に対応する前記フルＲＲＣコンテキストを前記マスタターゲットノードに解放し、前記ＳＣＧ設定部分に対応する前記フルＲＲＣコンテキストを前記ターゲット２次ノードに解放する、請求項１３に記載の方法。
【請求項１７】
マスタノードのプロセッサによって実行されたとき、前記マスタノードに、請求項１３から１６のいずれか一項に記載の方法の動作を実施させるプログラムコードを記憶する非一時的コンピュータ可読媒体を備える、コンピュータプログラム製品。
【請求項１８】
デュアルコネクティビティを提供するためのマスタノード（１６０４）であって、前記マスタノードは、
前記マスタノードから、およびターゲット２次ノードに、ハンドオーバにおけるＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記マスタノードから前記ＵＥに、前記コンテキスト指示を含むメッセージを送ること（１５０４）と
を行うように設定され、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、マスタノード（１６０４）。
【請求項１９】
デュアルコネクティビティを提供するようにマスタノード（１６０４）を動作させる方法であって、前記方法は、
前記マスタノードから、およびターゲット２次ノードに、ハンドオーバにおけるＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記マスタノードから前記ＵＥに、前記コンテキスト指示を含むメッセージを送ること（１５０４）と
を含み、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、方法。
【請求項２０】
前記マスタノードがＬＴＥ  ｅＮＢノードであり、前記ターゲット２次ノードがＮＲ  ＳｇＮＢノードである、請求項１９に記載の方法。
【請求項２１】
無線端末（１３００）とのデュアルコネクティビティ（ＤＣ）通信を提供するために第２のネットワークノード（１４００）と協働して動作するための第１のネットワークノード（１４００）であって、前記第１のネットワークノードが、前記第１のネットワークノードと前記無線端末との間の第１の無線インターフェース上で、マスタセルグループ（ＭＣＧ）を使用するマスタノードとして動作し、前記第２のネットワークノードが、２次ノードと前記無線端末との間の第２の無線インターフェース上で、２次セルグループ（ＳＣＧ）を使用する前記２次ノードとして動作し、前記第１のネットワークノードは、
前記第１のネットワークノードから、およびターゲット２次ノードに、ハンドオーバにおけるＵＥのためのリソースを割り当てるために追加要求メッセージを送ること（１５００）と、
前記ターゲット２次ノードから追加要求確認応答メッセージを受信すること（１５０２）であって、前記追加要求確認応答メッセージが、フル無線リソース制御（ＲＲＣ）コンテキストまたはデルタＲＲＣコンテキストに関するコンテキスト指示を含み、前記デルタＲＲＣコンテキストが、現在のＵＥコンテキストにおけるデータに対して更新されたデータを含む、追加要求確認応答メッセージを受信すること（１５０２）と、
前記受信されたコンテキスト指示に基づいて、前記第１のネットワークノードから前記ＵＥに、前記コンテキスト指示を含むメッセージを送ること（１５０４）と
を行うように適合され、
前記コンテキスト指示がフルＲＲＣコンテキストを含むことに応答して、前記ＵＥに送られた前記メッセージが、前のＥＮ−ＤＣ設定を解放し、前記ＵＥに前記フルＲＲＣコンテキストを追加するための、フラグを含み、
前記コンテキスト指示がデルタＲＲＣコンテキストを含むことに応答して、前記フラグを含む前記メッセージが前記ＵＥに送られない、第１のネットワークノード（１４００）。
【請求項２２】
前記追加要求メッセージが追加トリガ指示を含み、
前記追加要求メッセージが前記追加トリガ指示を含むことに応答して、前記追加要求確認応答メッセージは、フル設定またはデルタ設定を適用した前記ターゲット２次ノードである前記ネットワークノードに通知するＲＲＣ設定指示を含む、
請求項２１に記載のネットワークノード。
【国際調査報告】
2021503750.tif 000022
2021503750.tif 000023
2021503750.tif 000024